(57)【要約】【課題】無線通信においてＵＥが信号を受信する方法を提供する。【解決手段】方法は、第１のシステム情報を運ぶＰＢＣＨを含む第１のＳＳＢを検出することと、第２のシステム情報が第１のＳＳＢに関して提示されるかどうかを確認することであって、第２のシステム情報は、第１のシステム情報と関連付けられたＲＭＳＩである、ことと、ＲＭＳＩが第１のＳＳＢに関して提示されない場合に、ＰＢＣＨの第１のシステム情報に含まれるＲＭＳＩスケジューリング情報から特定の周波数範囲に関する情報を取得することと、を含み、ＵＥは、特定の周波数領域内にＲＭＳＩに関連付けられたＳＳＢがないことを決定する。【選択図】図９
2022002414.tif 000002
【特許請求の範囲】
【請求項１】
無線通信システムにおいて、ＵＥ（user equipment）がＲＭＳＩ（Remaining Minimum System Information）を受信する方法であって、
ＳＳ（Synchronization Signal）及びＰＢＣＨ（Physical Broadcasting Channel）を含む第１のＳＳＢ（synchronization signal block）を第１の周波数位置で検出し、前記ＰＢＣＨは、ＲＭＳＩスケジューリングのための第１のフィールドと、前記第１のフィールドが実際にＲＭＳＩスケジューリングに関する情報を含むかどうかを決定するための第２のフィールドとを含み、
前記ＰＢＣＨの前記第２のフィールドに基づいて、前記第１のフィールドがＲＭＳＩスケジューリングに関する前記情報を含むか否かを決定し、
前記第１のフィールドがＲＭＳＩスケジューリングに関する前記情報を含まないという決定に基づいて、
第２のＳＳＢへのＳＳＢリダイレクションのための情報を前記ＰＢＣＨの前記第１のフィールドから取得し、ＳＳＢリダイレクションのための前記情報は、前記第１の周波数位置と前記第２のＳＳＢのための第２の周波数位置との間の相対位置に関連し、かつ、
ＳＳＢリダイレクションに関する前記情報に基づいて特定される前記第２の周波数位置で前記第２のＳＳＢを検出する、ことを含む、方法。
【請求項２】
無線通信システムにおいて、ＲＭＳＩ（Remaining Minimum System Information）を受信するＵＥ（user equipment）であって、
ＢＳ（base station）と無線信号を送受信するＲＦモジュールと、
前記ＲＦモジュールを制御するように設定されるプロセッサと、を含み、
前記プロセッサは、
ＳＳ（Synchronization Signal）及びＰＢＣＨ（Physical Broadcasting Channel）を含む第１のＳＳＢ（synchronization signal block）を第１の周波数位置で検出し、前記ＰＢＣＨは、ＲＭＳＩスケジューリングのための第１のフィールドと、前記第１のフィールドが実際にＲＭＳＩスケジューリングに関する情報を含むかどうかを決定するための第２のフィールドとを含み、
前記ＰＢＣＨの前記第２のフィールドに基づいて、前記第１のフィールドがＲＭＳＩスケジューリングに関する前記情報を含むか否かを決定し、
前記第１のフィールドがＲＭＳＩスケジューリングに関する前記情報を含まないという決定に基づいて、
第２のＳＳＢへのＳＳＢリダイレクションのための情報を前記ＰＢＣＨの前記第１のフィールドから取得し、ＳＳＢリダイレクションのための前記情報は、前記第１の周波数位置と前記第２のＳＳＢのための第２の周波数位置との間の相対位置に関連し、かつ、
ＳＳＢリダイレクションに関する前記情報に基づいて特定される前記第２の周波数位置で前記第２のＳＳＢを検出する、ようにさらに設定される、ＵＥ。
【発明の詳細な説明】
【技術分野】
【０００１】
本発明は、システム情報を受信する方法及びそのための装置に関し、より詳細には、同期信号ブロックが検出された同期ラスタにシステム情報が存在しない場合、システム情報が存在する同期ラスタに関する情報を取得して、システム情報を受信する方法、及びそのための装置に関する。
【背景技術】
【０００２】
時代の流れによってより多くの通信装置がより大きな通信容量を要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ  Ｍｏｂｉｌｅ  ＢｒｏａｄＢａｎｄ（ｅＭＢＢ）／Ｕｌｔｒａ−ｒｅｌｉａｂｉｌｉｔｙ  ａｎｄ  ｌｏｗ−ｌａｔｅｎｃｙ  ｃｏｍｍｕｎｉｃａｔｉｏｎ（ＵＲＬＬＣ）／Ｍａｓｓｉｖｅ  Ｍａｃｈｉｎｅ−Ｔｙｐｅ  Ｃｏｍｍｕｎｉｃａｔｉｏｎｓ（ｍＭＴＣ）などに通信シナリオが区分される。
【０００３】
ここで、ｅＭＢＢはＨｉｇｈ  Ｓｐｅｃｔｒｕｍ  Ｅｆｆｉｃｉｅｎｃｙ、Ｈｉｇｈ  Ｕｓｅｒ  Ｅｘｐｅｒｉｅｎｃｅｄ  Ｄａｔａ  Ｒａｔｅ、Ｈｉｇｈ  Ｐｅａｋ  Ｄａｔａ  Ｒａｔｅなどの特性を有する次世代移動通信シナリオであり、ＵＲＬＬＣはＵｌｔｒａ  Ｒｅｌｉａｂｌｅ、Ｕｌｔｒａ  Ｌｏｗ  Ｌａｔｅｎｃｙ、Ｕｌｔｒａ  Ｈｉｇｈ  Ａｖａｉｌａｂｉｌｉｔｙなどの特性を有する次世代移動通信シナリオであり（ｅ．ｇ．，Ｖ２Ｘ、Ｅｍｅｒｇｅｎｃｙ  Ｓｅｒｖｉｃｅ、Ｒｅｍｏｔｅ  Ｃｏｎｔｒｏｌ）、ｍＭＴＣはＬｏｗ  Ｃｏｓｔ、Ｌｏｗ  Ｅｎｅｒｇｙ、Ｓｈｏｒｔ  Ｐａｃｋｅｔ、Ｍａｓｓｉｖｅ  Ｃｏｎｎｅｃｔｉｖｉｔｙの特性を有する次世代移動通信シナリオである（ｅ．ｇ．，ＩｏＴ）。
【発明の概要】
【発明が解決しようとする課題】
【０００４】
本発明は、システム情報を受信する方法及びそのための装置を提供しようとする。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の実施例による無線通信システムにおいて、端末がシステム情報を受信する方法であって、特定の周波数位置において、主同期信号（Ｐｒｉｍａｒｙ  Ｓｙｎｃｈｒｏｎｉｚａｔｉｏｎ  Ｓｉｇｎａｌ；ＰＳＳ）、副同期信号（Ｓｅｃｏｎｄａｒｙ  Ｓｙｎｃｈｒｏｎｉｚａｔｉｏｎ  Ｓｉｇｎａｌ；ＳＳＳ）及びＰＢＣＨ（Ｐｈｙｓｉｃａｌ  Ｂｒｏａｄｃａｓｔｉｎｇ  Ｃｈａｎｎｅｌ）で構成された第１の同期信号ブロックを検出し、前記ＰＢＣＨに含まれるシステム情報指示子に基づいて、前記特定の周波数位置に対応する第１の同期ラスタ（Ｓｙｎｃｈｒｏｎｉｚａｔｉｏｎ  ｒａｓｔｅｒ）内に、前記第１の同期信号ブロックに対応するシステム情報が存在するか否かを決定し、前記第１の同期信号ブロックに対応するシステム情報が存在しないと決定された場合、前記システム情報指示子に基づいて、システム情報が存在する第２の同期信号ブロックに対応する第２の同期ラスタを決定することができる。
【０００７】
このとき、前記第２の同期ラスタは、前記第１の同期ラスタと前記システム情報指示子に対応する値の相対位置に基づいて決定されることができる。
【０００８】
また、前記第２の同期ラスタの位置は、前記第１の同期ラスタの位置から、前記システム情報指示子に対応するオフセット値だけの間隔を有することができる。
【０００９】
また、前記システム情報指示子が特定値を指示する場合、一定の周波数範囲内では、前記第１の同期信号ブロックに対応するシステム情報が存在しないと決定されることができる。
【００１０】
また、前記システム情報指示子が前記特定値を指示する場合、前記第２の同期ラスタの位置は決定されなくてもよい。
【００１１】
また、システム情報を有さない第３の同期信号ブロックを、第１及び第２の同期ラスタに含まれない周波数位置において受信することをさらに含むことができる。
【００１２】
本発明による無線通信システムにおいて、システム情報を受信する端末であって、基地局と無線信号を送受信するＲＦモジュールと、前記ＲＦモジュールを制御するプロセッサと、を含み、前記プロセッサは、特定の周波数位置において、主同期信号（Ｐｒｉｍａｒｙ  Ｓｙｎｃｈｒｏｎｉｚａｔｉｏｎ  Ｓｉｇｎａｌ；ＰＳＳ）、副同期信号（Ｓｅｃｏｎｄａｒｙ  Ｓｙｎｃｈｒｏｎｉｚａｔｉｏｎ  Ｓｉｇｎａｌ；ＳＳＳ）及びＰＢＣＨ（Ｐｈｙｓｉｃａｌ  Ｂｒｏａｄｃａｓｔｉｎｇ  Ｃｈａｎｎｅｌ）で構成された第１の同期信号ブロックを検出し、前記ＰＢＣＨに含まれるシステム情報指示子に基づいて、前記特定の周波数位置に対応する第１の同期ラスタ（Ｓｙｎｃｈｒｏｎｉｚａｔｉｏｎ  ｒａｓｔｅｒ）内に、前記第１の同期信号ブロックに対応するシステム情報が存在するか否かを決定し、前記第１の同期信号ブロックに対応するシステム情報が存在しないと決定された場合、前記システム情報指示子に基づいて、システム情報が存在する第２の同期信号ブロックに対応する第２の同期ラスタを決定することができる。
【００１３】
このとき、前記第２の同期ラスタは、前記第１の同期ラスタと前記システム情報指示子に対応する値の相対位置に基づいて決定されることができる。
【００１４】
また、前記第２の同期ラスタの位置は、前記第１の同期ラスタの位置から、前記システム情報指示子に対応するオフセット値だけの間隔を有することができる。   
【００１５】
また、前記システム情報指示子が特定値を指示する場合、一定の周波数範囲内では、前記第１の同期信号ブロックに対応するシステム情報が存在しないと決定されることができる。
【００１６】
また、前記システム情報指示子が前記特定値を指示する場合、前記第２の同期ラスタの位置は決定されなくてもよい。
【００１７】
また、システム情報を有さない第３の同期信号ブロックを、第１及び第２の同期ラスタに含まれない周波数位置において受信することをさらに含むことができる。
【発明の効果】
【００１８】
本発明によれば、基地局が、同期信号ブロックが送信される全ての帯域においてシステム情報を送信しなくてもよいことから、オーバーヘッドを減らすことができ、端末はシステム情報が存在する帯域を素早くスキャンすることができ、ネットワークとの通信に必要なシステム情報を効果的に取得することができる。
【００１９】
本発明で得られる効果は以上に言及した効果に制限されず、言及しなかった他の効果は下記の記載から本発明が属する当該技術分野における当業者に明確に理解されるであろう。
【図面の簡単な説明】
【００２０】
【図１】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図２】３ＧＰＰシステムに用いられる物理チャネル及びこれらを用いた一般的な信号送信方法を説明する図である。
【図３】ＬＴＥシステムで用いられる無線フレームの構造を例示する図である。
【図４】ＬＴＥシステムで用いられる同期信号（ｓｙｎｃｈｒｏｎｉｚａｔｉｏｎ  ｓｉｇｎａｌ，ＳＳ）の送信のための無線フレームの構造を例示する図である。
【図５】ＬＴＥシステムで用いられる下りリンク無線フレームの構造を例示する図である。
【図６】ＬＴＥシステムで用いられる上りリンクサブフレームの構造を示す図である。
【図７】ＴＸＲＵとアンテナ要素の接続方式の一例を示す図である。
【図８】自己完備型（Ｓｅｌｆ−ｃｏｎｔａｉｎｅｄ）サブフレーム構造の一例を示す図である。
【図９】ＵＥが接続可能な帯域と接続不可能な帯域を説明するための図である。
【図１０】本発明の一実施例による通信装置のブロック構成図を例示する。
【発明を実施するための形態】
【００２１】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２２】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。
【００２３】
また、本明細書では、基地局をＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継機（ｒｅｌａｙ）などを含む包括的な名称として使うことができる。
【００２４】
図１は、３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは端末（Ｕｓｅｒ  Ｅｑｕｉｐｍｅｎｔ；ＵＥ）とネットワークが呼（ｃａｌｌ）を管理するために用いる制御メッセージが送信される通路を意味する。ユーザプレーンはアプリケーション層で生成されたデータ、例えば、音声データ又はインターネットパケットデータなどが送信される通路を意味する。
【００２５】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体アクセス制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続される。この送信チャネルを介して媒体アクセス制御層と物理層の間でデータが移動する。送信側と受信側の物理層の間では物理チャネルを介してデータが移動する。物理チャネルは時間と周波数を無線リソースとして活用する。具体的には、物理チャネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２６】
第２の層である媒体アクセス制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現化できる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【００２７】
第３の層の最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は無線ベアラ（Ｒａｄｉｏ  Ｂｅａｒｅｒ）の設定（Ｃｏｎｆｉｇｕｒａｔｉｏｎ）、再設定（Ｒｅ− ｃｏｎｆｉｇｕｒａｔｉｏｎ）及び解除（Ｒｅｌｅａｓｅ）に関連して論理チャネル、送信チャネル及び物理チャネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうではない場合はＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２８】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は別の下りＭＣＨ（Ｍｕｌｔｉｃａｓｔ  Ｃｈａｎｎｅｌ）を介して送信されることができる。なお、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位にありかつ送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２９】
図２は、３ＧＰＰシステムに用いられる物理チャネル及びこれらを用いた一般的な信号送信方法を説明する図である。
【００３０】
端末は、電源がオンになったり新たにセルに進入した場合は、基地局と同期を取るなどの初期セル探索（Ｉｎｉｔｉａｌ  ｃｅｌｌ  ｓｅａｒｃｈ）作業を行う（Ｓ２０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信することによって基地局と同期を取り、セルＩＤなどの情報を得ることができる。その後、端末は基地局から物理放送チャネル（Ｐｈｙｓｉｃａｌ  Ｂｒｏａｄｃａｓｔ  Ｃｈａｎｎｅｌ）を受信してセル内の放送情報を得ることができる。なお、端末は初期セル探索段階において下りリンク参照信号（Ｄｏｗｎｌｉｎｋ  Ｒｅｆｅｒｅｎｃｅ  Ｓｉｇｎａｌ；ＤＬ  ＲＳ）を受信して下りリンクチャネル状態を確認することができる。
【００３１】
初期セル探索を終了した端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに載せられた情報によって物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を得ることができる（Ｓ２０２）。
【００３２】
一方、基地局に最初に接続したか或いは信号送信のための無線リソースがない場合は、端末は、基地局に対してランダムアクセス過程（Ｒａｎｄｏｍ  Ａｃｃｅｓｓ  Ｐｒｏｃｅｄｕｒｅ；ＲＡＣＨ）を行うことができる（Ｓ２０３〜Ｓ２０６）。このために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ２０３及びＳ２０５）、ＰＤＣＣＨ及び対応するＰＤＳＣＨを介してプリアンブルに対する応答メッセージを受信することができる（Ｓ２０４及びＳ２０６）。競合ベースのＲＡＣＨの場合、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００３３】
上述した手順を行った端末は、その後、一般的な上り／下りリンク信号送信の手順として、ＰＤＣＣＨ／ＰＤＳＣＨ受信（Ｓ２０７）及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の送信（Ｓ２０８）を行う。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割り当て情報などの制御情報を含み、その使用目的に応じてフォーマットが互いに異なる。
【００３４】
一方、端末が上りリンクを通じて基地局に送信したり又は端末が基地局から受信したりする制御情報は、下り／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は上述したＣＱＩ／ＰＭＩ／ＲＩなどの制御情報をＰＵＳＣＨ及び／又はＰＵＣＣＨを介して送信することができる。
【００３５】
図３は、ＬＴＥシステムで用いられる無線フレームの構造を例示する図である。
【００３６】
図３を参照すると、無線フレーム（ｒａｄｉｏ  ｆｒａｍｅ）は１０ｍｓ（３２７２００×Ｔs）の長さを有し、１０個の均等なサイズのサブフレーム（ｓｕｂｆｒａｍｅ）で構成されている。それぞれのサブフレームは１ｍｓの長さを有し、２個のスロット（ｓｌｏｔ）で構成されている。それぞれのスロットは０．５ｍｓ（１５３６０×Ｔs）の長さを有する。ここで、Ｔsはサンプリング時間を表し、Ｔs＝１／（１５ｋＨｚ×２０４８）＝３．２５５２ｘ１０＾−８（約３３ｎｓ）で表示される。スロットは時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて一つのリソースブロックは１２個の副搬送波×７（６）個のＯＦＤＭシンボルを含む。データの送信される単位時間であるＴＴＩ（Ｔｒａｎｓｍｉｓｓｉｏｎ  Ｔｉｍｅ  Ｉｎｔｅｒｖａｌ）は一つ以上のサブフレーム単位で定めることができる。上述した無線フレームの構造は例示に過ぎず、無線フレームに含まれるサブフレームの数、サブフレームに含まれるスロットの数、又はスロットに含まれるＯＦＤＭシンボルの数は様々に変更されてもよい。
【００３７】
図４は、ＬＴＥ／ＬＴＥ−Ａベースの無線通信システムにおいて、同期信号（ｓｙｎｃｈｒｏｎｉｚａｔｉｏｎ  ｓｉｇｎａｌ，ＳＳ）の送信のための無線フレームの構造を例示する図である。特に、図３は、周波数分割複信（ｆｒｅｑｕｅｎｃｙ  ｄｉｖｉｓｉｏｎ  ｄｕｐｌｅｘ，ＦＤＤ）において同期信号及びＰＢＣＨの送信のための無線フレームの構造を例示するものであり、図５（ａ）は、正規ＣＰ（ｎｏｒｍａｌ  ｃｙｃｌｉｃ  ｐｒｅｆｉｘ）として設定された（ｃｏｎｆｉｇｕｒｅｄ）無線フレームにおいてＳＳ及びＰＢＣＨの送信位置を示す図であり、図５（ｂ）は、拡張ＣＰ（ｅｘｔｅｎｄｅｄ  ＣＰ）として設定された無線フレームにおいてＳＳ及びＰＢＣＨの送信位置を示す図である。
【００３８】
以下、図４を参照して、ＳＳをより具体的に説明する。ＳＳは、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）とに区分される。ＰＳＳは、ＯＦＤＭシンボル同期、スロット同期などの時間ドメイン同期及び／又は周波数ドメイン同期を得るために用いられ、ＳＳＳは、フレーム同期、セルグループＩＤ及び／又はセルのＣＰ設定（ｃｏｎｆｉｇｕｒａｔｉｏｎ）（即ち、正規ＣＰ又は拡張ＣＰの使用情報）を得るために用いられる。図４を参照すると、ＰＳＳとＳＳＳは、各無線フレームの２つのＯＦＤＭシンボルでそれぞれ送信される。具体的に、ＳＳは、インターＲＡＴ（ｉｎｔｅｒ  ｒａｄｉｏ  ａｃｃｅｓｓ  ｔｅｃｈｎｏｌｏｇｙ）測定を容易にするために、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）フレームの長さである４．６ｍｓを考慮して、サブフレーム０の第１番目のスロットとサブフレーム５の第１番目のスロットでそれぞれ送信される。特に、ＰＳＳは、サブフレーム０の第１番目のスロットの最後のＯＦＤＭシンボルとサブフレーム５の第１番目のスロットの最後のＯＦＤＭシンボルでそれぞれ送信され、ＳＳＳは、サブフレーム０の第１番目のスロットの最後から第２番目のＯＦＤＭシンボルとサブフレーム５の第１番目のスロットの最後から第２番目のＯＦＤＭシンボルでそれぞれ送信される。当該無線フレームの境界は、ＳＳＳによって検出できる。ＰＳＳは、当該スロットの最後のＯＦＤＭシンボルで送信され、ＳＳＳは、ＰＳＳ直前のＯＦＤＭシンボルで送信される。ＳＳの送信ダイバーシティ（ｄｉｖｅｒｓｉｔｙ）方式は、単一アンテナポート（ｓｉｎｇｌｅ  ａｎｔｅｎｎａ  ｐｏｒｔ）のみを用いて、標準では特に定義していない。
【００３９】
ＰＳＳは５ｍｓごとに送信されるため、ＵＥはＰＳＳを検出することで、当該サブフレームがサブフレーム０とサブフレーム５のうち１つであることが分かるが、当該サブフレームがサブフレーム０とサブフレーム５のうちいずれなのかは具体的に分からない。よって、ＵＥは、ＰＳＳのみでは無線フレームの境界が認知できない。即ち、ＰＳＳのみではフレーム同期が得られない。ＵＥは一無線フレームにおいて２回送信されるものの、互いに異なるシーケンスとして送信されるＳＳＳを検出することで無線フレームの境界を検出する。
【００４０】
ＰＳＳ／ＳＳＳを用いたセル（ｃｅｌｌ）探索過程を行い、ＤＬ信号の復調（ｄｅｍｏｄｕｌａｔｉｏｎ）及びＵＬ信号の送信を正確な時点に行うのに必要な時間及び周波数パラメータを決定したＵＥは、また、ｅＮＢからＵＥのシステム設定（ｓｙｓｔｅｍ  ｃｏｎｆｉｇｕｒａｔｉｏｎ）に必要なシステム情報を取得して、前記ｅＮＢと通信することができる。
【００４１】
システム情報は、マスタ情報ブロック（Ｍａｓｔｅｒ  Ｉｎｆｏｒｍａｔｉｏｎ  Ｂｌｏｃｋ，ＭＩＢ）及びシステム情報ブロック（Ｓｙｓｔｅｍ  Ｉｎｆｏｒｍａｔｉｏｎ  Ｂｌｏｃｋ，ＳＩＢ）によって設定される（ｃｏｎｆｉｇｕｒｅｄ）。各システム情報ブロックは、機能的に関連したパラメータの集合を含み、含むパラメータに応じてマスタ情報ブロック（Ｍａｓｔｅｒ  Ｉｎｆｏｒｍａｔｉｏｎ  Ｂｌｏｃｋ，ＭＩＢ）及びシステム情報ブロックタイプ１（Ｓｙｓｔｅｍ  Ｉｎｆｏｒｍａｔｉｏｎ  Ｂｌｏｃｋ  Ｔｙｐｅ  １，ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２，ＳＩＢ２）、ＳＩＢ３〜ＳＩＢ１７に区分できる。
【００４２】
ＭＩＢは、ＵＥがｅＮＢのネットワーク（ｎｅｔｗｏｒｋ）に初期接続（ｉｎｉｔｉａｌ  ａｃｃｅｓｓ）するのに必須の、最も頻繁に送信されるパラメータを含む。ＵＥは、ＭＩＢをブロードキャストチャネル（例えば、ＰＢＣＨ）を介して受信することができる。ＭＩＢには、下りリンクシステム帯域幅（ｄｌ−Ｂａｎｄｗｉｄｔｈ，ＤＬ  ＢＷ）、ＰＨＩＣＨ設定（ｃｏｎｆｉｇｕｒａｔｉｏｎ）、システムフレームナンバー（ＳＦＮ）が含まれる。よって、ＵＥは、ＰＢＣＨを受信することで、明示的（ｅｘｐｌｉｃｉｔ）に、ＤＬ  ＢＷ、ＳＦＮ、ＰＨＩＣＨ設定に関する情報が分かる。一方、ＰＢＣＨ受信によってＵＥが暗示的（ｉｍｐｌｉｃｉｔ）に分かる情報としては、ｅＮＢの送信アンテナポートの数がある。ｅＮＢの送信アンテナ数に関する情報は、ＰＢＣＨのエラー検出に用いられる１６ビットＣＲＣ（Ｃｙｃｌｉｃ  Ｒｅｄｕｎｄａｎｃｙ  Ｃｈｅｃｋ）に送信アンテナ数に対応するシーケンスをマスク（例えば、ＸＯＲ演算）して、暗示的にシグナルリングされる。
【００４３】
ＳＩＢ１は、他のＳＩＢの時間ドメインスケジューリングに関する情報のみならず、特定のセルがセル選択に適したセルであるか否かを判断するのに必要なパラメータを含む。ＳＩＢ１はブロードキャストシグナリング又は専用（ｄｅｄｉｃａｔｅｄ）シグナリングによってＵＥに受信される。
【００４４】
ＤＬ搬送波周波数と当該システム帯域幅は、ＰＢＣＨが運ぶＭＩＢによって得ることができる。ＵＬ搬送波周波数及び当該システム帯域幅は、ＤＬ信号であるシステム情報によって得られる。ＭＩＢを受信したＵＥは、当該セルに対して格納された有効なシステム情報がないと、システム情報ブロックタイプ２（ＳｙｓｔｅｍＩｎｆｏｒｍａｔｉｏｎＢｌｏｃｋＴｙｐｅ２，ＳＩＢ２）が受信されるまで、ＭＩＢ内のＤＬ  ＢＷの値をＵＬ帯域幅（ＵＬ  ＢＷ）に適用する。例えば、ＵＥは、システム情報ブロックタイプ２（ＳｙｓｔｅｍＩｎｆｏｒｍａｔｉｏｎＢｌｏｃｋＴｙｐｅ２，ＳＩＢ２）を取得して、前記ＳＩＢ２内のＵＬ搬送波周波数及びＵＬ帯域幅情報によってＵＥがＵＬ送信に使用可能な全体のＵＬシステム帯域を把握することができる。
【００４５】
周波数ドメインにおいて、ＰＳＳ／ＳＳＳ及びＰＢＣＨは、実際のシステム帯域幅とは関係なく、当該ＯＦＤＭシンボルにおいてＤＣ副搬送波を中心として、左右３個ずつ、全６個のＲＢ、即ち、全７２個の副搬送波内でのみ送信される。よって、ＵＥは、ＵＥに設定された（ｃｏｎｆｉｇｕｒｅｄ）下りリンク送信帯域幅とは関係なく、ＳＳ及びＰＢＣＨを検出（ｄｅｔｅｃｔ）或いは復号（ｄｅｃｏｄｅ）できるように設定される（ｃｏｎｆｉｇｕｒｅｄ）。
【００４６】
初期セル探索を終えたＵＥは、ｅＮＢへの接続を完了するために、ランダムアクセス過程（ｒａｎｄｏｍ ａｃｃｅｓｓ ｐｒｏｃｅｄｕｒｅ）を行うことができる。このために、ＵＥは、物理ランダムアクセスチャネル（ｐｈｙｓｉｃａｌ ｒａｎｄｏｍ ａｃｃｅｓｓ ｃｈａｎｎｅｌ，ＰＲＡＣＨ）を通じてプリアンブル（ｐｒｅａｍｂｌｅ）を送信し、ＰＤＣＣＨ及びＰＤＳＣＨを通じてプリアンブルへの応答メッセージを受信することができる。競合ベースのランダムアクセス（ｃｏｎｔｅｎｔｉｏｎ  ｂａｓｅｄ  ｒａｎｄｏｍ  ａｃｃｅｓｓ）の場合、更なるＰＲＡＣＨの送信、またＰＤＣＣＨ及びＰＤＣＣＨに対応するＰＤＳＣＨのような衝突解決手順（ｃｏｎｔｅｎｔｉｏｎ  ｒｅｓｏｌｕｔｉｏｎ  ｐｒｏｃｅｄｕｒｅ）を行うことができる。
【００４７】
上述したような手順を行ったＵＥは、その後、一般的な上りリンク／下りリンク信号送信手順として、ＰＤＣＣＨ／ＰＤＳＣＨ受信及びＰＵＳＣＨ／ＰＵＣＣＨ送信を行うことができる。
【００４８】
上述したランダムアクセス過程は、ランダムアクセスチャネル（ｒａｎｄｏｍ  ａｃｃｅｓｓ  ｃｈａｎｎｅｌ，ＲＡＣＨ）過程とも呼ばれる。ランダムアクセス過程は、初期接続、上りリンク同期調整、リソース割り当て、ハンドオーバーなどの用途など様々に用いられる。ランダムアクセス過程は、競合ベース（ｃｏｎｔｅｎｔｉｏｎ−ｂａｓｅｄ）過程と、専用（ｄｅｄｉｃａｔｅｄ）（即ち、非競合ベース）過程とに分類できる。競合ベースのランダムアクセス過程は、初期接続を含んで一般的に用いられ、専用ランダムアクセス過程はハンドオーバーなどに制限的に用いられる。競合ベースのランダムアクセス過程において、ＵＥはＲＡＣＨプリアンブルシーケンスを任意に（ｒａｎｄｏｍｌｙ）選択する。よって、複数のＵＥが同時に同一のＲＡＣＨプリアンブルシーケンスを送信することが可能であり、これによって、その後に衝突解決手順が必要となる。一方、専用ランダムアクセス過程において、ＵＥはｅＮＢが当該ＵＥに唯一に割り当てたＲＡＣＨプリアンブルシーケンスを用いる。よって、他のＵＥとの衝突なくランダムアクセス過程を行うことができる。
【００４９】
競合ベースのランダムアクセス過程は、以下の４ステップを含む。以下、ステップ１〜４で送信されるメッセージのそれぞれをメッセージ１〜４（Ｍｓｇ１〜Ｍｓｇ４）と称する。
【００５０】
−  ステップ１：ＲＡＣＨプリアンブル（ｖｉａ  ＰＲＡＣＨ）（ＵＥ  ｔｏ  ｅＮＢ）
【００５１】
−  ステップ２：ランダムアクセス応答（ｒａｎｄｏｍ  ａｃｃｅｓｓ  ｒｅｓｐｏｎｓｅ，ＲＡＲ）（ｖｉａ  ＰＤＣＣＨ及びＰＤＳＣＨ）（ｅＮＢ  ｔｏ  ＵＥ）
【００５２】
−  ステップ３：レイヤ２／レイヤ３メッセージ（ｖｉａ  ＰＵＳＣＨ）（ＵＥ  ｔｏ  ｅＮＢ）
【００５３】
−  ステップ４：衝突解決（ｃｏｎｔｅｎｔｉｏｎ  ｒｅｓｏｌｕｔｉｏｎ）メッセージ（ｅＮＢ  ｔｏ  ＵＥ）
【００５４】
専用ランダムアクセス過程は、以下の３ステップを含む。以下、ステップ０〜２で送信されるメッセージのそれぞれは、メッセージ０〜２（Ｍｓｇ０〜Ｍｓｇ２）と称する。ランダムアクセス過程の一部としてＲＡＲに対応する上りリンク送信（即ち、ステップ３）を行うこともできる。専用ランダムアクセス過程は、基地局がＲＡＣＨプリアンブル送信を命令するためのＰＤＣＣＨ（以下、ＰＤＣＣＨオーダー（ｏｒｄｅｒ））を用いてトリガされることができる。
【００５５】
−  ステップ０：専用シグナリングによるＲＡＣＨプリアンブル割り当て（ｅＮＢ  ｔｏ  ＵＥ）
【００５６】
−  ステップ１：ＲＡＣＨプリアンブル（ｖｉａ  ＰＲＡＣＨ）（ＵＥ  ｔｏ  ｅＮＢ）
【００５７】
−  ステップ２：ランダムアクセス応答（ＲＡＲ）（ｖｉａ  ＰＤＣＣＨ及びＰＤＳＣＨ）（ｅＮＢ  ｔｏ  ＵＥ）
【００５８】
ＲＡＣＨプリアンブルを送信した後、ＵＥは予め設定された時間ウィンドー内でランダムアクセス応答（ＲＡＲ）の受信を試みる。具体的に、ＵＥは、時間ウィンドー内でＲＡ−ＲＮＴＩ（Ｒａｎｄｏｍ  Ａｃｃｅｓｓ  ＲＮＴＩ）を有するＰＤＣＣＨ（以下、ＲＡ−ＲＮＴＩ  ＰＤＣＣＨ）（例えば、ＰＤＣＣＨにおいてＣＲＣがＲＡ−ＲＮＴＩでマスクされる）の検出を試みる。ＲＡ−ＲＮＴＩ  ＰＤＣＣＨ検出時に、ＵＥは、ＲＡ−ＲＮＴＩ  ＰＤＣＣＨに対応するＰＤＳＣＨ内に、ＵＥのためのＲＡＲが存在するか否かを確認する。ＲＡＲは、ＵＬ同期化のためのタイミングオフセット情報を示すタイミングアドバンス（ｔｉｍｉｎｇ  ａｄｖａｎｃｅ, ＴＡ）情報、ＵＬリソース割り当て情報（ＵＬグラント情報）、仮端末識別子（例えば、ｔｅｍｐｏｒａｒｙ  ｃｅｌｌ−ＲＮＴＩ, ＴＣ−ＲＮＴＩ）などを含む。ＵＥは、ＲＡＲ内のリソース割り当て情報及びＴＡ値に応じてＵＬ送信（例えば、Ｍｓｇ３）を行うことができる。ＲＡＲに対応するＵＬ送信にはＨＡＲＱが適用される。したがって、ＵＥは、Ｍｓｇ３を送信した後、Ｍｓｇ３に対応する受信応答情報（例えば、ＰＨＩＣＨ）を受信することができる。
【００５９】
ランダムアクセスプリアンブル、即ち、ＲＡＣＨプリアンブルは、物理層において長さＴＣＰのサイクリックプレフィックス（ｃｙｃｌｉｃ  ｐｒｅｆｉｘ）及び長さＴＳＥＱのシーケンスからなる。ＴＣＰのＴＳＥＱは、フレーム構造とランダムアクセス設定（ｃｏｎｆｉｇｕｒａｔｉｏｎ）に依存する。プリアンブルフォーマットは上位層によって制御される。ＲＡＣＨプリアンブルはＵＬサブフレームから送信される。ランダムアクセスプリアンブルの送信は、特定の時間及び周波数リソースに制限（ｒｅｓｔｒｉｃｔ）される。このようなリソースをＰＲＡＣＨリソースと呼び、ＰＲＡＣＨリソースは、インデックス０が無線フレームにおいて低い番号のＰＲＢ及びサブフレームに対応するように、前記無線フレーム内のサブフレーム番号と、周波数ドメインにおいてＰＲＢの増加順に番号付けられる。ランダムアクセスリソースがＰＲＡＣＨ設定インデックスによって定義される（３ＧＰＰ  ＴＳ  ３６．２１１標準文書を参照）。ＰＲＡＣＨ設定インデックスは（ｅＮＢによって送信される）上位層信号によって与えられる。
【００６０】
ＬＴＥ／ＬＴＥ−Ａシステムにおいてランダムアクセスプリアンブル、即ち、ＲＡＣＨプリアンブルのための副搬送波間隔（Ｓｕｂｃａｒｒｉｅｒ  Ｓｐａｃｉｎｇ）は、プリアンブルフォーマット０〜３の場合は１．２５ｋＨｚであり、プリアンブルフォーマット４の場合は７．５ｋＨｚであると規定される（３ＧＰＰ  ＴＳ  ３６．２１１を参照）。
【００６１】
図５は、下りリンク無線フレームにおいて一つのサブフレームの制御領域に含まれる制御チャネルを例示する図である。
【００６２】
図５を参照すると、サブフレームは１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００６３】
ＰＣＦＩＣＨは物理制御フォーマット指示子チャネルで、各サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは４個のＲＥＧ（Ｒｅｓｏｕｒｃｅ  Ｅｌｅｍｅｎｔ  Ｇｒｏｕｐ）で構成され、それぞれのＲＥＧはセルＩＤ（Ｃｅｌｌ  ＩＤｅｎｔｉｔｙ）に基づいて制御領域内に分散される。一つのＲＥＧは４個のＲＥ（Ｒｅｓｏｕｒｃｅ  Ｅｌｅｍｅｎｔ）で構成される。ＲＥは、１副搬送波×１ＯＦＤＭシンボルで定義される最小物理リソースを表す。ＰＣＦＩＣＨ値は帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００６４】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ  ＡＣＫ／ＮＡＣＫを運ぶために用いられる。即ち、ＰＨＩＣＨは、ＵＬ  ＨＡＲＱのためのＤＬ  ＡＣＫ／ＮＡＣＫ情報が送信されるチャネルを表す。ＰＨＩＣＨは、１個のＲＥＧで構成され、セル固有（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は周波数領域及び／又は時間領域においてダイバーシティ利得を得るために３回反復（ｒｅｐｅｔｉｔｉｏｎ）される。
【００６５】
ＰＤＣＣＨは物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは一つ以上のＣＣＥで構成される。ＰＤＣＣＨは、送信チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割り当てに関する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを通じて送信される。したがって、基地局と端末は一般に、特定の制御情報又は特定のサービスデータ以外は、ＰＤＳＣＨを通じてデータをそれぞれ送信及び受信する。
【００６６】
ＰＤＳＣＨのデータがいずれの端末（一つ又は複数の端末）に送信されるものか、これら端末がどのようにＰＤＳＣＨデータを受信してデコードしなければならないかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスクされており、「Ｂ」という無線リソース（例、周波数位置）及び「Ｃ」というＤＣＩフォーマット、即ち、送信形式情報（例、送信ブロックサイズ、変調方式、コーディング情報など）を用いて送信されるデータに関する情報が、特定サブフレームで送信されると仮定する。この場合、セル内の端末は、自身が持っているＲＮＴＩ情報を用いて検索領域でＰＤＣＣＨをモニタリング、即ち、ブラインドデコードし、「Ａ」のＲＮＴＩを持っている一つ以上の端末があると、これらの端末はＰＤＣＣＨを受信し、受信したＰＤＣＣＨの情報に基づいて「Ｂ」と「Ｃ」によって指示されるＰＤＳＣＨを受信する。
【００６７】
図６は、ＬＴＥシステムで用いられる上りリンクサブフレームの構造を示す図である。
【００６８】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要求であるＳＲ（Ｓｃｈｅｄｕｌｉｎｇ  Ｒｅｑｕｅｓｔ）などがある。一つの端末に対するＰＵＣＣＨは、サブフレーム内の各スロットで互いに異なる周波数を占める一つのリソースブロックを使用する。即ち、ＰＵＣＣＨに割り当てられる２個のリソースブロックはスロット境界で周波数ホッピング（ｆｒｅｑｕｅｎｃｙ  ｈｏｐｐｉｎｇ）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００６９】
以下、チャネル状態情報（ｃｈａｎｎｅｌ  ｓｔａｔｅ  ｉｎｆｏｒｍａｔｉｏｎ，ＣＳＩ）の報告について説明する。現在、ＬＴＥ標準では、チャネル状態情報無しで運用される開ループ（ｏｐｅｎ−ｌｏｏｐ）ＭＩＭＯと、チャネル状態情報に基づいて運用される閉ループ（ｃｌｏｓｅｄ−ｌｏｏｐ）ＭＩＭＯという２つの送信方式が存在する。特に、閉ループＭＩＭＯでは、ＭＩＭＯアンテナの多重化利得（多重化ｇａｉｎ）を得るために、基地局及び端末のそれぞれは、チャネル状態情報に基づいてビームフォーミングを行うことができる。基地局は、チャネル状態情報を端末から得るために、端末にＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を割り当てて、下りリンク信号に対するチャネル状態情報（ＣＳＩ）をフィードバックするように命令する。
【００７０】
ＣＳＩは、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｅｘ）、ＣＱＩ（Ｃｈａｎｎｅｌ  Ｑｕａｌｉｔｙ  Ｉｎｄｉｃａｔｉｏｎ）の３つの情報に大別される。先ず、ＲＩは、上述のように、チャネルのランク情報を示し、端末が同一の周波数−時間リソースによって受信できるストリーム数を意味する。また、ＲＩは、チャネルの長期フェーディング（ｌｏｎｇ  ｔｅｒｍ  ｆａｄｉｎｇ）によって決定されるため、通常、ＰＭＩ、ＣＱＩ値よりも長い周期で基地局にフィードバックされる。
【００７１】
次に、ＰＭＩはチャネルの空間特性を反映した値であって、ＳＩＮＲなどのメトリック（ｍｅｔｒｉｃ）を基準として端末が選好するプリコーディング行列インデックスを示す。最後に、ＣＱＩはチャネルの強度を示す値であって、通常、基地局がＰＭＩを用いるときに得られる受信ＳＩＮＲのことを意味する。
【００７２】
３ＧＰＰ  ＬＴＥ−Ａシステムにおいて、基地局は、複数のＣＳＩプロセスをＵＥに設定して、各プロセスに対するＣＳＩが報告される。ここで、ＣＳＩプロセスは、基地局からの信号品質の特定のためのＣＳＩ−ＲＳリソースと干渉測定のためのＣＳＩ−ＩＭ（ｉｎｔｅｒｆｅｒｅｎｃｅ  ｍｅａｓｕｒｅｍｅｎｔ）リソース、即ち、ＩＭＲ（ｉｎｔｅｒｆｅｒｅｎｃｅ  ｍｅａｓｕｒｅｍｅｎｔ  ｒｅｓｏｕｒｃｅ）で構成される。
【００７３】
Ｍｉｌｌｉｍｅｔｅｒ  Ｗａｖｅ（ｍｍＷ）では波長が短くなるため、同一面積に多数のアンテナ要素の設置が可能である。具体的には、３０ＧＨｚ帯域において波長は１ｃｍであって、４  ｂｙ  ４ｃｍのパネル（ｐａｎｅｌ）に０．５ｌａｍｂｄａ（波長）間隔で２Ｄ（ｄｉｍｅｎｓｉｏｎ）配列である全６４（８×８）個のアンテナ要素を設けることができる。これにより、ｍｍＷ分野における最近の動向では、多数のアンテナ要素を使用してＢＦ（ｂｅａｍｆｏｒｍｉｎｇ）利得を上げてカバレッジを増加させたり、スループット（ｔｈｒｏｕｇｈｐｕｔ）を増加させたりすることを試みている。
【００７４】
このとき、アンテナ要素別に送信パワー及び位相の調節ができるように、ＴＸＲＵ（Ｔｒａｎｓｃｅｉｖｅｒ  Ｕｎｉｔ）を備えると、周波数リソース別に独立したビームフォーミングが可能である。しかし、１００個余りの全てのアンテナ要素にＴＸＲＵを設けることは費用面で実効性に乏しいという問題がある。従って、１つのＴＸＲＵに多数のアンテナ要素をマッピングし、アナログ位相シフタ（ａｎａｌｏｇ  ｐｈａｓｅ  ｓｈｉｆｔｅｒ）でビーム方向を調節する方式が考えられている。かかるアナログビームフォーミング方式では全帯域において１つのビーム方向しか形成できないため、周波数選択的なビームフォーミングができないというデメリットがある。
【００７５】
デジタルＢＦとアナログＢＦの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素の接続方式によって差はあるが、同時に送信可能なビームの方向はＢ個以下に制限される。
【００７６】
図７は、ＴＸＲＵとアンテナ要素の接続方式の一例を示す図である。
【００７７】
図７（ａ）は、ＴＸＲＵがサブアレイ（ｓｕｂ−ａｒｒａｙ）に接続された方式を示している。この場合、アンテナ要素は１つのＴＸＲＵにのみ接続される。これとは異なり、図６（ｂ）は、ＴＸＲＵが全てのアンテナ要素に接続された方式を示している。この場合、アンテナ要素は全てのＴＸＲＵに接続される。図７において、Ｗはアナログ位相シフタにより乗じられる位相ベクトルを示す。即ち、Ｗによってアナログビームフォーミングの方向が決定される。ここで、ＣＳＩ−ＲＳアンテナポートとＴＸＲＵとのマッピングは１−ｔｏ−１又は１−ｔｏ−多である。
【００７８】
より多い通信機器がより大きい通信容量を要求することにより、既存のＲＡＴ（ｒａｄｉｏ  ａｃｃｅｓｓ  ｔｅｃｈｎｏｌｏｇｙ）に比べて向上した無線広帯域通信に対する必要性が台頭しつつある。また、複数の機器及びモノを接続していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考慮される主なイッシュの１つである。のみならず、信頼度（ｒｅｌｉａｂｉｌｉｔｙ）及びレイテンシ（ｌａｔｅｎｃｙ）に敏感なサービス／ＵＥを考慮した通信システムデザインが提示されている。これを考慮した次世代ＲＡＴの導入が論議されており、本発明では、便宜のために、Ｎｅｗ  ＲＡＴと称する。
【００７９】
ＴＤＤシステムにおいてデータ送信レイテンシを最小化するために第５世代Ｎｅｗ  ＲＡＴでは、図８のような自己完備型（Ｓｅｉｆ−ｃｏｎｔａｉｎｅｄ）サブフレームの構造を考慮している。図８は、自己完備型サブフレームの構造の一例を示す図である。
【００８０】
図８において、斜線領域は下りリンク制御領域を示し、黒塗り領域は上りリンク制御領域を示す。表示のない領域は、下りリンクデータ送信のために用いられてよく、上りリンクデータ送信のために用いられてもよい。この構造の特徴は、１つのサブフレームにおいて下りリンク送信と上りリンク送信とが順次に行われ、サブフレーム内で下りリンクデータを送信して、上りリンクＡＣＫ／ＮＡＣＫを受信することもできる。結果として、データ送信エラーが発生したとき、データの再送信までかかる時間を減らすことになり、これによって最終データ伝達のレイテンシを最小化することができる。
【００８１】
このような自己完備型サブフレーム構造において、基地局とＵＥが送信モードから受信モードに切り替えられる過程、又は受信モードから送信モードに切り替えられる過程のためには、時間間隔（ｔｉｍｅ  ｇａｐ）が必要である。そのために、自己完備型サブフレーム構造において、下りリンクから上りリンクに切り替えられる時点の一部のＯＦＤＭシンボル（ＯＦＤＭ  ｓｙｍｂｏｌ；ＯＳ）がＧＰ（ｇｕａｒｄ  ｐｅｒｉｏｄ）として設定される。
【００８２】
ＮｅｗＲＡＴをベースとして動作するシステムにおいて、構成／設定が可能な上述した自己完備型サブフレームタイプの一例として、少なくとも以下のような４つのサブフレームタイプが考えられる。
【００８３】
−  下りリンク制御区間＋下りリンクデータ区間＋ＧＰ＋上りリンク制御区間
【００８４】
−  下りリンク制御区間＋下りリンクデータ区間
【００８５】
−  下りリンク制御区間＋ＧＰ＋上りリンクデータ区間＋上りリンク制御区間
【００８６】
−  下りリンク制御区間＋ＧＰ＋上りリンクデータ区間
【００８７】
以下、本発明では、第５世代ＮＲ（Ｎｅｗ  ｒａｔ）システムを支援するネットワークにおいて、ＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）が存在しないＢＷＰ（Ｂａｎｄｗｉｄｔｈ  Ｐａｒｔ）のための同期信号の構成案について説明する。一方、本発明では、ＲＭＳＩは、ＳＩＢ１（Ｓｙｓｔｅｍ  Ｉｎｆｏｒｍａｔｉｏｎ  Ｂｌｏｃｋ  １）と解釈することができ、ＮＲ−ＰＢＣＨ（Ｐｈｙｓｉｃａｌ  Ｂｒｏａｄｃａｓｔ  Ｃｈａｎｎｅｌ）を介してＭＩＢ（Ｍａｓｔｅｒ  Ｓｙｓｔｅｍ  Ｉｎｆｏｒｍａｔｉｏｎ  Ｂｌｏｃｋ）受信後にＵＥが取得すべきシステム情報である。
【００８８】
ＮＲを支援するシステムは、全体の信号処理量（ｔｈｒｏｕｇｈｐｕｔ）を増加させるために、従来のＬＴＥシステムに比べて非常に広い数百ＭＨｚの広帯域システムを定義することができる。このとき、基地局は、割り当てられた周波数帯域をできる限り効率的に利用するために、割り当てられた広帯域周波数を１つのコンポーネントキャリア（ｃｏｍｐｏｎｅｎｔ  ｃａｒｒｉｅｒ； ＣＣ）で構成することができる。しかし、ＵＥを生産するための原価又はＵＥの使用用途などの理由によって、ＵＥが支援可能な最大の周波数帯域幅は様々である。この理由によって、ＵＥは基地局に割り当てられた全ての帯域幅を全部カバーできない場合がある。即ち、ＵＥが支援可能な最大の周波数帯域幅は、基地局が割り当てられた全ての帯域幅より小さいことがある。
【００８９】
よって、システムを効率的に支援するために、ＮＲシステムは、ＵＥが支援可能な最大の周波数帯域幅に基づいて、それぞれのＵＥが運用（ｏｐｅｒａｔｉｎｇ）する周波数帯域幅及び周波数帯域位置を知らせて、ＵＥはその周波数帯域で動作する。この場合、基地局は、ＵＥに割り当てた周波数帯域によってＵＥの移動性支援のために定義される移動性参照信号（ｍｏｂｉｌｉｔｙ  Ｒｅｆｅｒｅｎｃｅ  Ｓｉｇｎａｌ；ＲＳ）を送信することで、ＵＥの移動性を円滑に支援することができる。例えば、ＮＲの場合、基本的にＳＳ  ｂｌｏｃｋを移動性参照信号（ｍｏｂｉｌｉｔｙ  ＲＳ）として定義して、必要に応じて、さらにＣＳＩ−ＲＳを移動性参照信号として活用することができる。
【００９０】
一般に、ＳＳＢ（Ｓｙｎｃｈｒｏｎｉｚａｔｉｏｎ  Ｓｉｇｎａｌ  Ｂｌｏｃｋ）は、初期接続（ｉｎｉｔｉａｌ  ａｃｃｅｓｓ）の用途として用いられる。即ち、接続を行うＵＥは、ＳＳＢ内のＰＳＳとＳＳＳを用いてセルを検出して、検出されたセルに対するＳＩ（ｓｙｓｔｅｍ  ｉｎｆｏｒｍａｔｉｏｎ）を受信して、システムに近づくための情報を取得する。
【００９１】
ＮＲシステムの場合、ＳＩはＮＲ−ＰＢＣＨを介して送信されるＭｉｎｉｍｕｍ  Ｓｙｓｔｅｍ  Ｉｎｆｏｒｍａｔｉｏｎ、ＰＤＳＣＨを介して送信されるＲＭＳＩ（ｒｅｍａｉｎｉｎｇ  ｓｙｓｔｅｍ  ｉｎｆｏｒｍａｔｉｏｎ）、及びＯＳＩ（ｏｔｈｅｒ  ｓｙｓｔｅｍ  ｉｎｆｏｒｍａｔｉｏｎ）に区分される。ここで、ＮＲ−ＰＢＣＨを介して送信されるＭｉｎｉｍｕｍ  Ｓｙｓｔｅｍ  Ｉｎｆｏｒｍａｔｉｏｎは、ＭＩＢ（Ｍａｓｔｅｒ  Ｓｙｓｔｅｍ  Ｉｎｆｏｒｍａｔｉｏｎ  Ｂｌｏｃｋ）と解釈することができる。
【００９２】
一般に、ＵＥはＳＳＢを検出した後、ＮＲ−ＰＢＣＨを介したＭｉｎｉｍｕｍ  Ｓｙｓｔｅｍ  Ｉｎｆｏｒｍａｔｉｏｎまで受信してセルを検出したと判断する。よって、ＮＲシステムでは、ＰＳＳ、ＳＳＳ及びＰＢＣＨを総称してＳＳＢと定義して、ＳＳＢ送信時にはＰＳＳ、ＳＳＳとＰＢＣＨを必ず共に送信するように規定している。
【００９３】
一方、上述のように、広帯域を支援する基地局の場合、基地局が支援可能な帯域幅に比べて小さい帯域幅を支援するＵＥのために、様々な帯域でＮＲサービスを支援する必要がある。即ち、基地局が支援する１つのシステム帯域内に複数のＳＳＢを送信する必要がある。
【００９４】
このとき、ＳＳＢを送信する全ての帯域に対して、ＵＥの初期接続（ｉｎｉｔｉａｌ  ａｃｃｅｓｓ）を許容する場合、基地局は、ＳＳＢが送信される全ての帯域においてＲＭＳＩとＯＳＩを送信しなければならない。しかし、初期接続（ｉｎｉｔｉａｌ  ａｃｃｅｓｓ）を試みるＵＥが非常に多い場合を除くと、全ての帯域に対してＲＭＳＩとＯＳＩを送信することは、システムのオーバーヘッドとして作用するしかない。特に、ミリメートル（ｍｉｌｌｉｍｅｔｅｒ）帯域のような超高周波帯域では、放送（Ｂｒｏａｄｃａｓｔ）メッセージに対するビームスイーピング（Ｂｅａｍ  Ｓｗｅｅｐｉｎｇ）を全ての方向に対して行わなければならないため、システムのオーバーヘッドが基地局で支援するビーム数だけ比例して増加するという問題点がある。
【００９５】
一方、システムのオーバーヘッドを減らすために、基地局が特定の帯域においてＳＳＢのみを送信して、ＲＭＳＩやＯＳＩを送信しない場合、初期接続を試みるＵＥは、ＳＳＢを検出した後、ＳＳＢに対応するＲＭＳＩとＯＳＩを受信するために、続けて初期接続（ｉｎｉｔｉａｌ  ａｃｃｅｓｓ）を試みるという問題点が生じる。
【００９６】
例えば、図９に基づいて説明すると、ＵＥ１及びＵＥ３の場合、基地局がＵＥ１及びＵＥ３のために割り当てられた帯域内においてＳＳＢとＲＭＳＩを共に送信するため、ＳＳＢを検出した後、ＲＭＳＩを受信して初期接続に成功することができる。一方、ＵＥ２の場合、基地局がＵＥ２のために割り当てられた帯域内においてＳＳＢのみを送信して、ＲＭＳＩを送信しなかったにもかかわらず、ＵＥ２はＳＳＢを検出して、そのために、ＲＭＳＩを続けて受信しようと試み、結局、初期接続には成功できないという問題点が生じる。
【００９７】
かかる問題点を解決するために、本発明では、初期接続を試みるＵＥ、即ち、周波数帯域を変更しつつＲＭＳＩの存否を判断するための周波数スキャン（ｆｒｅｑｕｅｎｃｙ  ｓｃａｎ）を試みるＵＥが初期接続を許容する周波数帯域である接続可能な帯域（ａｃｃｅｓｓｉｂｌｅ  ｂａｎｄ）と、初期接続を許容しない周波数帯域である接続不可能な帯域（ｎｏｎ−ａｃｃｅｓｓｉｂｌｅ  ｂａｎｄ）とを区分して動作する方法を提案する。
【００９８】
特に、本発明では、上述した問題点を解決するための案として、以下の２つの案を提案する。
【００９９】
−  ＳＳＢを介してセル検出ができないようにすることで、初期接続を支援しない周波数帯域に留まらないようにする。即ち、ＵＥが接続不可能な帯域（ｎｏｎ−ａｃｃｅｓｓｉｂｌｅ  ｂａｎｄ）で続けてＲＭＳＩ受信をしないようにする。
【０１００】
−  ＳＳＢを検出しても、ＳＳＢを検出した周波数帯域では、初期接続（ｉｎｉｔｉａｌ  ａｃｃｅｓｓ）を試みることができないことをＵＥが認知するようにする。即ち、ＵＥがＳＳＢを検出した周波数帯域は、接続不可能な帯域（ｎｏｎ−ａｃｃｅｓｓｉｂｌｅ  ｂａｎｄ）であることを認知するようにする。
【０１０１】
以下、上述した２つの案について具体的に説明する。
【０１０２】
＜１．ＳＳＢの検出の成功を防ぐための方法>
【０１０３】
１−１．ＰＳＳシーケンス又はＳＳＳシーケンスを帯域によって異なるように定義する方法
【０１０４】
ＰＳＳシーケンス又はＳＳＳシーケンスを接続可能な帯域（ａｃｃｅｓｓｉｂｌｅ  ｂａｎｄ）と接続不可能な帯域（ｎｏｎ−ａｃｃｅｓｓｉｂｌｅ  ｂａｎｄ）によって異なるように定義して、初期接続（ｉｎｉｔｉａｌ  ａｃｃｅｓｓ）を試みるＵＥがＳＳＢの検出に失敗するようにする。ＰＳＳシーケンス又はＳＳＳシーケンスを帯域によって異なるように定義する具体的な方法は、以下のようである。
【０１０５】
−  接続可能な帯域（ａｃｃｅｓｓｉｂｌｅ  ｂａｎｄ）と接続不可能な帯域（ｎｏｎ−ａｃｃｅｓｓｉｂｌｅ  ｂａｎｄ）とのＰＳＳシーケンス又はＳＳＳシーケンスを異なるように定義して、ＵＥが接続可能な帯域（ａｃｃｅｓｓｉｂｌｅ  ｂａｎｄ）でのみＳＳＢが検出できるようにする。
【０１０６】
−  ＰＳＳシーケンス又はＳＳＳシーケンスをＲＥ（ｒｅｓｏｕｒｃｅ  ｅｌｅｍｅｎｔ）にマッピングするための規則を帯域によって変更することができる。例えば、接続不可能な帯域（ｎｏｎ−ａｃｃｅｓｓｉｂｌｅ  ｂａｎｄ）では、シーケンスを反転させた（ｒｅｖｅｒｓｅ）形態でＲＥにマッピングするか、帯域ごとにシーケンスマッピング方法を異なるようにもよい。
【０１０７】
さらに、上述した方法は、ＰＳＳ及びＳＳＳの両方に適用することができ、両方のうち一方のみに適用してもよい。但し、接続不可能な帯域（ｎｏｎ−ａｃｃｅｓｓｉｂｌｅ  ｂａｎｄ）が割り当てられたＵＥが既にシステムに接続した後には、ＵＥが割り当てられた帯域が接続不可能な帯域であることを知らせて、ＵＥが接続可能な帯域（ａｃｃｅｓｓｉｂｌｅ  ｂａｎｄ）において初期接続（ｉｎｉｔｉａｌ  ａｃｃｅｓｓ）を試みる時とは異なるＰＳＳ／ＳＳＳシーケンスを用いてＳＳＢを検出するように指示することができる。
【０１０８】
１−２．セルＩＤによってシーケンスマッピング方法を異なるように定義する方法
【０１０９】
一般に、セルＩＤに関する情報は、ＰＳＳ及びＳＳＳを介して取得する。特に、ＮＲシステムの場合、ＰＳＳシーケンスを介して３個のＰＳＳ  ＩＤのうち、いずれか１個のＰＳＳ  ＩＤを取得して、ＰＳＳ  ＩＤとタイミング情報を用いて、受信されたＳＳＳシーケンスに対応するＳＳＳ  ＩＤを取得する。また、取得したＰＳＳ  ＩＤ及びＳＳＳ  ＩＤを介してセルＩＤを取得する。
【０１１０】
この場合、ＳＳＳ  ＩＤ検出のための仮説（ｈｙｐｏｔｈｅｓｉｓ）は、ＰＳＳ  ＩＤによって決定される。よって、ＰＳＳ  ＩＤにマッピングされるＳＳＳ  ＩＤに対する仮説（ｈｙｐｏｔｈｅｓｉｓ）を接続可能な帯域（ａｃｃｅｓｓｉｂｌｅ  ｂａｎｄ）と接続不可能な帯域（ｎｏｎ−ａｃｃｅｓｓｉｂｌｅ  ｂａｎｄ）とで異なるようにすることで、初期接続（ｉｎｉｔｉａｌ  ａｃｃｅｓｓ）を試みるＵＥが接続不可能な帯域（ｎｏｎ−ａｃｃｅｓｓｉｂｌｅ  ｂａｎｄ）のＳＳＢを介しては検出できないようにすることができる。例えば、接続可能な帯域（ａｃｃｅｓｓｉｂｌｅ  ｂａｎｄ）のＳＳＳ  ＩＤが０から３３６の仮説の値を有する場合、接続不可能な帯域（ｎｏｎ−ａｃｃｅｓｓｉｂｌｅ  ｂａｎｄ）のＳＳＳ  ＩＤは３３７から６７３まで有するように設定することができる。
【０１１１】
但し、接続不可能な帯域（ｎｏｎ−ａｃｃｅｓｓｉｂｌｅ  ｂａｎｄ）が割り当てられたＵＥが既にシステムに接続した後には、ＵＥが割り当てられた帯域が接続不可能な帯域であることを知らせて、ＵＥが接続可能な帯域（ａｃｃｅｓｓｉｂｌｅ  ｂａｎｄ）において初期接続（ｉｎｉｔｉａｌ  ａｃｃｅｓｓ）を試みる時とは異なるセルＩＤマッピング規則を用いてＳＳＢを検出するように指示することができる。
【０１１２】
１−３．ＰＳＳを基準としたＳＳＳの位置を異なるように定義する方法
【０１１３】
ＬＴＥやＮＲシステムは、１個のスロットにおいてＰＳＳ及びＳＳＳの位置を定義する。即ち、ＰＳＳを介してＳＳＢ内のＰＳＳの受信位置に関する情報を得たＵＥは、ＰＳＳの受信位置を基準としてＳＳＳが受信される位置を仮定することができ、仮定された位置においてＳＳＳの検出を試みる。
【０１１４】
よって、接続不可能な帯域（ｎｏｎ−ａｃｃｅｓｓｉｂｌｅ  ｂａｎｄ）のＳＳＢでは、ＰＳＳを基準としたＳＳＳの位置と接続可能な帯域（ａｃｃｅｓｓｉｂｌｅ  ｂａｎｄ）のＳＳＢにおけるＰＳＳを基準としたＳＳＳの位置を異なるように割り当てることで、接続不可能な帯域（ｎｏｎ−ａｃｃｅｓｓｉｂｌｅ  ｂａｎｄ）においてＵＥがＳＳＳ受信を不可能にして、セル検出に失敗させることができる。例えば、接続可能な帯域（ａｃｃｅｓｓｉｂｌｅ  ｂａｎｄ）のＳＳＢの構成がＰＳＳ−ＰＢＣＨ−ＳＳＳ−ＰＢＣＨの順である場合、接続不可能な帯域（ｎｏｎ−ａｃｃｅｓｓｉｂｌｅ  ｂａｎｄ）では、ＳＳＢの構成をＳＳＳ−ＰＢＣＨ−ＰＳＳ−ＰＢＣＨの順にすることができる。即ち、ＰＳＳを基準としたＳＳＳの位置を変更することで、接続不可能な帯域（ｎｏｎ−ａｃｃｅｓｓｉｂｌｅ  ｂａｎｄ）ではセル検出の成功を防ぐものである。
【０１１５】
但し、接続不可能な帯域（ｎｏｎ−ａｃｃｅｓｓｉｂｌｅ  ｂａｎｄ）が割り当てられたＵＥが既にシステムに接続した後には、ＵＥが割り当てられた帯域が接続不可能な帯域であることを知らせて、ＵＥが接続可能な帯域（ａｃｃｅｓｓｉｂｌｅ  ｂａｎｄ）において初期接続（ｉｎｉｔｉａｌ  ａｃｃｅｓｓ）を試みる時とは異なるＰＳＳ及びＳＳＳのシンボル位置を用いてＳＳＢを検出するように指示することができる。
【０１１６】
１−４．ＳＳＢの周波数位置を変更する方法
【０１１７】
ＵＥが任意の帯域（ｂａｎｄ）に対する周波数スキャン（ｆｒｅｑｕｅｎｃｙ  ｓｃａｎ）を行う場合、ＵＥがＳＳＢの検出を通じたシステムの存否を把握することを補助するために、一般に、ネットワークは、ＳＳＢが送信され得る周波数の位置をＵＥと予め共有することができる。ここで、ＳＳＢが送信され得る周波数の位置を同期ラスタ（Ｓｙｎｃ  ｒａｔｅｒ）と称し、ネットワークとＵＥとの間に予め共有する同期ラスタは、標準文書に定義されてもよい。即ち、同期ラスタは、ネットワークとＵＥとの間で予め約束されてもよく、このような同期ラスタは、標準文書に定義されてもよい。
【０１１８】
また、周波数スキャンを行うＵＥは、予め共有された同期ラスタ（ｓｙｎｃ  ｒａｓｔｅｒ）でのみＳＳＢの検出を行う。よって、予めネットワークとＵＥとの間に共有された同期ラスタではない周波数においてＳＳＢを送信する場合、初期接続（ｉｎｉｔｉａｌ  ａｃｃｅｓｓ）を試みるＵＥはＳＳＢ検出に成功することができない。この方法を用いて、広帯域基地局は、接続可能な帯域（ａｃｃｅｓｓｉｂｌｅ  ｂａｎｄ）のための接続可能な同期ラスタ（ａｃｃｅｓｓｉｂｌｅ  ｓｙｎｃ  ｒａｓｔｅｒ）として定義されない周波数を介して接続不可能な帯域（ｎｏｎ−ａｃｃｅｓｓｉｂｌｅ  ｂａｎｄ）のＳＳＢを送信することができる。
【０１１９】
但し、接続不可能な帯域（ｎｏｎ−ａｃｃｅｓｓｉｂｌｅ  ｂａｎｄ）が割り当てられたＵＥが既にシステムに接続した後には、接続不可能な帯域（ｎｏｎ−ａｃｃｅｓｓｉｂｌｅ  ｂａｎｄ）においてＳＳＢの送信位置を知らせる必要がある。即ち、接続不可能な帯域（ｎｏｎ−ａｃｃｅｓｓｉｂｌｅ  ｂａｎｄ）の同期ラスタ（ｓｙｎｃ  ｒａｓｔｅｒ）は、接続可能な帯域の同期ラスタ（ａｃｃｅｓｓｉｂｌｅ  ｓｙｎｃ  ｒａｓｔｅｒ）の位置から一定の周波数オフセット（ｆｒｅｑｕｅｎｃｙ  ｏｆｆｓｅｔ）だけ離れていることを知らせることができる。このとき、一定の周波数オフセットは、予めネットワークとＵＥとの間に共有されているか、基地局が知らせてもよい。一方、接続可能な帯域の同期ラスタ（ａｃｃｅｓｓｉｂｌｅ  ｓｙｎｃ  ｒａｓｔｅｒ）ではない同期ラスタ（ｓｙｎｃ  ｒａｓｔｅｒ）を基地局がＵＥに指定する方法もあり得る。
【０１２０】
上述した４つの案を用いて、ＳＳＢの検出の成功を防ぐ場合、隣接セルを測定（ｎｅｉｇｈｂｏｒ  ｃｅｌｌ  ｍｅａｓｕｒｅｍｅｎｔ）するために、基地局がＵＥに隣接セルのための帯域情報を知らせるか、現在、ＵＥに割り当てられた帯域は全てのセルに対して共通（ｃｏｍｍｏｎ）するという事実を知らせる。例えば、現在、ＵＥに割り当てられた帯域が接続可能な帯域（ａｃｃｅｓｓｉｂｌｅ−ｂａｎｄ）である場合、隣接セル（ｎｅｉｇｈｂｏｒ  ｃｅｌｌ）でも接続可能な帯域（ａｃｃｅｓｓｉｂｌｅ−ｂａｎｄ）であることを知らせる必要があり、ＵＥに割り当てられた帯域が接続不可能な帯域（ｎｏｎ−ａｃｃｅｓｓｉｂｌｅ  ｂａｎｄ）である場合、隣接セル（ｎｅｉｇｈｂｏｒ  ｃｅｌｌ）でも接続不可能な帯域（ｎｏｎ−ａｃｃｅｓｓｉｂｌｅ  ｂａｎｄ）であることを知らせる必要がある。
【０１２１】
＜２．ＳＳＢ検出に成功した帯域が初期接続用の搬送波ではないことを知らせる方法＞
【０１２２】
一方、ＳＳＢの検出を防ぐ場合、ＵＥの具現化アルゴリズム及び接続不可能な帯域（ｎｏｎ−ａｃｃｅｓｓｉｂｌｅ  ｂａｎｄ）に対するＳＳＢの構成方法によって、ＵＥが長い時間の間にＳＳＢ検出を試み、これにより、周波数スキャン（ｆｒｅｑｕｅｎｃｙ  ｓｃａｎ）のための時間が増加するという問題点が生じ得る。
【０１２３】
以下、上述した問題点を解決するために、ＳＳＢに関する情報によってＳＳＢを検出した周波数帯域が接続不可能な帯域（ｎｏｎ−ａｃｃｅｓｓｉｂｌｅ  ｂａｎｄ）であることを知らせる方法を提案する。
【０１２４】
２−１．ＳＳＢ時間インデックス（ｔｉｍｅ  ｉｎｄｅｘ）を介して接続不可能な帯域であることを知らせる方法
【０１２５】
ＮＲシステムでは、多重ビーム（ｍｕｌｔｉ−ｂｅａｍ）送信のために、１つの周波数において複数のＳＳＢを送信することができる。このとき、ＳＳＢが１つのフレームにおいていずれの位置に存在するかを知らせるためのＳＳＢ時間インデックスをＳＳＢによって送信することができる。
【０１２６】
よって、ＵＥにＳＳＢを検出した帯域が接続不可能な帯域であることを知らせるために、接続可能な帯域（ａｃｃｅｓｓｉｂｌｅ  ｂａｎｄ）のためのＳＳＢ時間インデックスと、接続不可能な帯域（ｎｏｎ−ａｃｃｅｓｓｉｂｌｅ  ｂａｎｄ）のためのＳＳＢ時間インデックスとを別々に定義することができる。即ち、初期接続（Ｉｎｉｔｉａｌ  ａｃｃｅｓｓ）を行うＵＥがＳＳＢを検出したとき、検出されたＳＳＢを介して取得したＳＳＢ時間インデックスが接続可能な帯域（ａｃｃｅｓｓｉｂｌｅ  ｂａｎｄ）に該当する値ではない場合、ＳＳＢが検出された周波数が接続不可能な帯域（ｎｏｎ−ａｃｃｅｓｓｉｂｌｅ  ｂａｎｄ）であることを認知して、該当周波数上ではシステムへの接続（ａｃｃｅｓｓ）をこれ以上試みないことができる。
【０１２７】
具体例として、接続可能な帯域（ａｃｃｅｓｓｉｂｌｅ  ｂａｎｄ）のＳＳＢ時間インデックス値が１，３，５，…のように奇数値のみを有するように構成する場合、接続不可能な帯域（ｎｏｎ−ａｃｃｅｓｓｉｂｌｅ  ｂａｎｄ）のＳＳＢ時間インデックス値は２，４，６，…のように偶数値を有するように構成することができ、ＵＥが検出したＳＳＢの時間インデックスが奇数値である場合、ＵＥはＳＳＢを検出した周波数が接続可能な帯域であると判断し、ＳＳＢの時間インデックスが偶数値である場合、ＵＥはＳＳＢを検出した周波数が接続不可能な帯域であると判断することができる。
【０１２８】
２−２．ＰＢＣＨ  ＤＭ−ＲＳを用いて接続不可能な帯域であることを知らせる方法
【０１２９】
ＮＲシステムでは、ＳＳＢにおいてＰＢＣＨを送信して、ＰＢＣＨ受信のためのチャネル推定のためにＰＢＣＨ  ＤＭ−ＲＳを定義する。ＰＢＣＨ  ＤＭ−ＲＳは、セル間の区分のために、少なくともセルＩＤ情報を含むスクランブリングシーケンス（ｓｃｒａｍｂｌｉｎｇ  ｓｅｑｕｅｎｃｅ）を定義して、これを用いてＰＢＣＨ  ＤＭ−ＲＳを構成する。
【０１３０】
よって、ＵＥにＳＳＢを検出した帯域が接続不可能な帯域であることを知らせるために、接続可能な帯域（ａｃｃｅｓｓｉｂｌｅ  ｂａｎｄ）のためのＰＢＣＨ  ＤＭ−ＲＳのスクランブリングシーケンスと、接続不可能な帯域（ｎｏｎ−ａｃｃｅｓｓｉｂｌｅ  ｂａｎｄ）のためのＰＢＣＨ  ＤＭ−ＲＳのスクランブリングシーケンスとを異なるように定義することができる。即ち、初期接続（Ｉｎｉｔｉａｌ  ａｃｃｅｓｓ）を行うＵＥは、ＰＢＣＨ  ＤＭ−ＲＳに対するブラインドデコーディング（ｂｌｉｎｄ  ｄｅｃｏｄｉｎｇ）によって、検出されたＳＳＢが接続可能な帯域（ａｃｃｅｓｓｉｂｌｅ  ｂａｎｄ）上で送信されたか、又は接続不可能な帯域（ｎｏｎ−ａｃｃｅｓｓｉｂｌｅ  ｂａｎｄ）上で送信されたかを判断することができる。
【０１３１】
２−３．ＰＢＣＨ情報を用いて接続不可能な帯域であることを知らせる方法
【０１３２】
ＵＥがシステムに接続（ａｃｃｅｓｓ）を試みる場合、ＳＳＢ内のＳＳ（ｓｙｎｃｈｒｏｎｉｚａｔｉｏｎ  ｓｉｇｎａｌ）を用いてスロット及びフレーム境界（ｆｒａｍｅ  ｂｏｕｎｄａｒｙ）に関する情報及びセルＩＤ情報を得る。その後、ＳＩ（ｓｙｓｔｅｍ  ｉｎｆｏｒｍａｔｉｏｎ）を得るための第一の過程として、ＰＢＣＨを介してＭｉｎｉｍｕｍ  Ｓｙｓｔｅｍ  Ｉｎｆｏｒｍａｔｉｏｎ、即ち、ＭＩＢを取得する動作を行う。ＮＲシステムでは、Ｍｉｎｉｍｕｍ  Ｓｙｓｔｅｍ  ＩｎｆｏｒｍａｔｉｏｎによってＳＦＮ（Ｓｕｐｅｒ  Ｆｒａｍｅ  Ｎｕｍｂｅｒ）、ＳＳＢ時間インデックス（ｔｉｍｅ  ｉｎｄｅｘ）及びＲＭＳＩのスケジューリング情報などを取得することになる。
【０１３３】
このとき、接続不可能な帯域（ｎｏｎ−ａｃｃｅｓｓｉｂｌｅ  ｂａｎｄ）では、基本的に、ＲＭＳＩなどのＳＩ（Ｓｙｓｔｅｍ  Ｉｎｆｏｒｍａｔｉｏｎ）を送信しないため、ＲＭＳＩのスケジューリング情報を送信する必要がない。よって、接続不可能な帯域（ｎｏｎ−ａｃｃｅｓｓｉｂｌｅ  ｂａｎｄ）において使用しないＲＭＳＩスケジューリング情報を伝達するビットフィールド（ｂｉｔ  ｆｉｅｌｄ）を用いて、接続可能な同期ラスタ（ａｃｃｅｓｓｉｂｌｅ  ｓｙｎｃ  ｒａｓｔｅｒ）の情報を伝達することができる。即ち、ＲＭＳＩスケジューリング情報を伝達するビットフィールドを用いて、接続可能な帯域（ａｃｃｅｓｓｉｂｌｅ  ｂａｎｄ）内においてＳＳＢが送信されるラスタ（ｒａｓｔｅｒ）に関する情報を伝達することができる。
【０１３４】
接続可能な同期ラスタ（ａｃｃｅｓｓｉｂｌｅ  ｓｙｎｃ  ｒａｓｔｅｒ）情報が伝達されたＵＥは、接続可能な帯域（ａｃｃｅｓｓｉｂｌｅ  ｂａｎｄ）のＳＳＢが送信されるラスタ（ｒａｓｔｅｒ）に直ちに移動することができる。これをＳｙｎｃ  Ｒｅ−ｄｉｒｅｃｔｉｏｎといい、これによって、ＵＥが素早く周波数スキャンを行うことができる。
【０１３５】
一方、接続可能な同期ラスタ（ａｃｃｅｓｓｉｂｌｅ  ｓｙｎｃ  ｒａｓｔｅｒ）に関する情報は、ＵＥが現在位置しているか、ＵＥが現在スキャンした同期ラスタ（ｓｙｎｃ  ｒａｓｔｅｒ）に対する相対位置で指示されるか、接続可能な同期ラスタの絶対位置で指示されることができる。例えば、接続可能な同期ラスタに関する情報が、ＵＥが現在スキャンした同期ラスタに対する相対位置で指示される場合、現在ＵＥがスキャンした同期ラスタを基準とした一定の周波数オフセット値を指示することで、現在スキャンした同期ラスタから、前記周波数オフセット値が示す同期ラスタでＳｙｎｃ  Ｒｅ−ｄｅｒｅｃｔｉｏｎを行い、該当同期ラスタで周波数スキャンを行うようにする。
【０１３６】
一方、Ｓｙｎｃ−Ｒｅｄｉｒｅｃｔｉｏｎを行うために、ＲＭＳＩスケジューリング情報のためのビットフィールド（ｂｉｔ  ｆｉｅｌｄ）が、実際にＲＭＳＩスケジューリング情報を含むか、又はＳｙｎｃ  Ｒｅ−ｄｉｒｅｃｔｉｏｎのための情報を含むかを区分するための１ビットフィールドが定義されることができる。
【０１３７】
一方、ＲＭＳＩスケジューリングのための情報が特定ビット又は特定値を指示する場合、ある一定の周波数範囲内、即ち、一定の同期ラスタ範囲内には、接続可能な帯域（ａｃｃｅｓｓｉｂｌｅ  ｂａｎｄ）のＳＳＢが送信されないことを示すことができる。換言すれば、ＲＭＳＩスケジューリングのための情報が特定ビット又は特定値を指示する場合、一定の同期ラスタ範囲内には、接続可能な帯域が存在しないことを示すことができる。
【０１３８】
上述した内容について具体的に説明すると、ＵＥが初期接続を行うとき、ＲＭＳＩの存在しないＳＳＢが位置する接続不可能な帯域（ｎｏｎ−ａｃｃｅｓｓｉｂｌｅ  ｂａｎｄ）を介して、初期接続を試みることができ、該当帯域にＲＭＳＩがないことをＰＢＣＨ  ＭＩＢを介して伝達することができる。そうすると、ＲＭＳＩが存在しないことが伝達されたＵＥは、ＲＭＳＩの存在するＳＳＢが送信される接続可能な帯域（ａｃｃｅｓｓｉｂｌｅ  ｂａｎｄ）の位置（ｐｏｓｉｔｉｏｎ）を探さなければならない。接続可能な帯域（Ａｃｃｅｓｓｉｂｌｅ  ｂａｎｄ）のＳＳＢ周波数位置（ｆｒｅｑｕｅｎｃｙ  ｐｏｓｉｔｉｏｎ）は、ＲＡＮ４においてＳＳＢの周波数位置を定義したＳＳ＿ＰＢＣＨ＿ｆｒｅｑｕｅｎｃｙ  ｐｏｓｉｔｉｏｎに従って順次にＰＢＣＨデコードして探すことができるが、仮に、連続して接続不可能な帯域（ｎｏｎ−ａｃｃｅｓｓｉｂｌｅ  ｂａｎｄ）に接続する場合、ＵＥは長時間にわたって周波数スキャン（ｆｒｅｑｕｅｎｃｙ  ｓｃａｎ）過程を繰り返す可能性もある。よって、効率的なＵＥの動作のために、ＲＭＳＩの存在するＳＳＢの周波数位置を知らせることができる。ＲＡＮ４によれば、ＳＳＢの周波数位置は、ＮＲオペレーティング帯域（ｏｐｅｒａｔｉｎｇ  ｂａｎｄ）の最下位の周波数位置（ｌｏｗｅｓｔ  ｆｒｅｑｕｅｎｃｙ  ｐｏｓｉｔｉｏｎ）、同期ラスタ（ｓｙｎｃ  ｒａｓｔｅｒ）の倍数、及びラスタオフセット（ｒａｓｔｅｒ  ｏｆｆｓｅｔ）の関数で定義することができる。例えば、ＬＴＥ帯域を再活用するＬＴＥリファーミングバンドは、｛Ｎ＊９００  ｋＨｚ  ＋  Ｍ＊５  ｋＨｚ｝で定義され、ＮＲの６ＧＨｚ以下の帯域を意味するＦＲ１帯域は、｛２４００ＭＨｚ＋Ｎ＊１．４４ＭＨｚ｝で定義され、ＮＲの６ＧＨｚ以上の帯域を意味するＦＲ２帯域は、｛［２４２５０．０８］  ＭＨｚ  ＋  Ｎ＊［１７．２８］  ＭＨｚ｝で定義されることができる。このとき、具体的なＭとＮの値は、以下の［表１］に従う。
【０１３９】
一方、接続不可能な帯域（ｎｏｎ−ａｃｃｅｓｓｉｂｌｅ  ｂａｎｄ）では、ＳＳＢと対応するＲＭＳＩがないため、ＲＭＳＩ  ＣＯＲＥＳＥＴ設定（ｃｏｎｆｉｇｕｒａｔｉｏｎ）のために、ＰＢＣＨ  ＭＩＢに定義される８ビットは使用しない。よって、ＲＭＳＩ  ＣＯＲＥＳＥＴ設定（ｃｏｎｆｉｇｕｒａｔｉｏｎ）のための８ビットをＲＭＳＩが存在する、即ち、接続可能な帯域において送信されるＳＳＢの周波数位置を指示するための指示子として用いることができる。ＮＲでは、定義された帯域ごとに特定の周波数帯域において送信可能なＳＳＢの数及び間隔の定義が異なるため、これを考慮して、接続可能な帯域において送信されるＳＳＢの周波数位置が指示できるように設計（Ｄｅｓｉｇｎ）される必要がある。
【０１４０】
換言すれば、帯域ごとに定義されたＳＳＢの周波数位置は、以下の［表１］のように定義されることができ、帯域ごとにＲＭＳＩが存在するＳＳＢの周波数位置は、以下の「実施例１乃至８」によって指示される。
【０１４１】
【表１−１】
2022002414.tif 000003
【０１４２】
【表１−２】
2022002414.tif 000004
【０１４３】
（１）実施例１
【０１４４】
ＮＲにおいて用いることと定義された帯域ごとに、ＳＳＢの基準周波数位置（ｒｅｆｅｒｅｎｃｅ  ｆｒｅｑｕｅｎｃｙ  ｐｏｓｉｔｉｏｎ）を決定して、基準周波数位置からＲＭＳＩのあるＳＳＢの周波数位置を相対的な値で知らせることができる。このとき、８ビットを用いる場合、帯域内の全２５６個のＳＳＢ周波数位置を指示することができる。
【０１４５】
一方、８ビットで指示可能な２５６個のＳＳＢ周波数位置内にＲＭＳＩのあるＳＳＢ周波数位置がない場合、追加シグナリングによって、ＵＥにＲＭＳＩのあるＳＳＢの周波数位置を指示する必要がある。特に、［表１］のｎ７７帯域及びｎ７８帯域は、ＳＳＢが送信され得る周波数位置（ｐｏｓｓｉｂｌｅ  ＳＳ＿ＰＢＣＨ＿ｆｒｅｑｕｅｎｃｙ  ｐｏｓｉｔｉｏｎ）がそれぞれ６２０個及び３４２個であるため、２５６個で全てのＳＳＢの周波数位置を指示することができない。よって、この場合には、ＰＢＣＨコンテンツ、即ち、ＰＢＣＨ  ＭＩＢに含まれたＰＲＢグリッドオフセットのためのビットを用いて指示可能な状態のうち、余分の状態（ｓｔａｔｅ）を用いて、ＲＭＳＩが存在する周波数位置に対する指示をさらに定義することができる。
【０１４６】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができる。その後、ＵＥは、さらに定義された状態（ｓｔａｔｅ）のうち、指示される状態（ｓｔａｔｅ）によって、特定の基準点（例えば、０、２５６又は５１２）からＲＭＳＩが存在するＳＳＢの周波数位置を８ビットを用いて知ることができる。
【０１４７】
また、特定の帯域内にＲＭＳＩのあるＳＳＢ周波数位置がない場合、ＵＥにそのことをさらに指示すると、他の帯域に移動して、ＲＭＳＩのあるＳＳＢの周波数位置を探すために試みることができる。この過程によって、ＵＥが不要に周波数スキャンを繰り返すことを減少させることができる。一方、さらに定義される状態（ｓｔａｔｅ）の定義は、以下のようである。
【０１４８】
−  第１の状態：該当帯域内のＲＭＳＩが無い。
【０１４９】
−  第２の状態：該当同期ラスタにＲＭＳＩが無く、８ビットによって定義される基準周波数位置からＲＭＳＩのあるＳＳＢの周波数位置の相対的な値は０から２５５。
【０１５０】
−  第３の状態：該当同期ラスタにＲＭＳＩが無く、８ビットによって定義される基準周波数位置からＲＭＳＩのあるＳＳＢの周波数位置の相対的な値は２５６から５１１。
【０１５１】
−  第４の状態：該当同期ラスタにＲＭＳＩが無く、８ビットによって定義される基準周波数位置からＲＭＳＩのあるＳＳＢの周波数位置の相対的な値は５１２から７６７。
【０１５２】
（２）実施例２
【０１５３】
ＮＲにおいて使用することと定義された帯域ごとに、ＳＳＢの基準周波数位置（ｒｅｆｅｒｅｎｃｅ  ｆｒｅｑｕｅｎｃｙ  ｐｏｓｉｔｉｏｎ）を決定して、基準周波数位置からＲＭＳＩのあるＳＳＢの周波数位置を相対的な値で知らせることができる。このとき、８ビットを用いる場合、帯域内の全２５６個のＳＳＢ周波数位置を指示することができる。
【０１５４】
一方、効率的なＵＥの動作のために、帯域内にＲＭＳＩのあるＳＳＢの周波数位置が存在しない場合を指示する必要がある。該当指示（ｉｎｄｉｃａｔｉｏｎ）は、ＳＳＢの周波数位置を知らせるための８ビットのうち１個の状態（ｓｔａｔｅ）を用いることができる。また、この場合には、ＳＳＢの周波数位置を知らせるための状態（ｓｔａｔｅ）の数が２５５になる。即ち、上述した１個の状態は、以下のようである。
【０１５５】
−  第１の状態：該当帯域内のＲＭＳＩが無い。
【０１５６】
ところが、８ビットで特定の帯域内にある全てのＳＳＢの周波数Ｓ＿ＰＢＣＨ＿ｆｒｅｑｕｅｎｃｙ位置が指示できない場合が生じ得る。
【０１５７】
例えば、［表１］のｎ７７帯域及びｎ７８帯域は、ＳＳＢが送信され得る周波数位置（ｐｏｓｓｉｂｌｅ  ＳＳ＿ＰＢＣＨ＿ｆｒｅｑｕｅｎｃｙ  ｐｏｓｉｔｉｏｎ）がそれぞれ６２０個及び３４２個であるため、２５５個で全てのＳＳＢの周波数位置を指示することができない。よって、これを指示するための追加シグナリングが必要であり、ＰＢＣＨコンテンツ、即ち、ＰＢＣＨ  ＭＩＢに含まれたＰＲＢグリッドオフセットのためのビットを用いて指示可能な状態のうち余分の状態（ｓｔａｔｅ）を用いて、ＲＭＳＩが存在する周波数位置に対する指示をさらに定義することができる。
【０１５８】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができ、指示される状態（ｓｔａｔｅ）によって、基準周波数位置からＲＭＳＩが存在するＳＳＢの周波数位置を８ビットを用いて知ることができる。
【０１５９】
−  第１の状態：該当同期ラスタにＲＭＳＩが無く、８ビットによって定義される基準周波数位置からＲＭＳＩのあるＳＳＢの周波数位置の相対的な値は０から２５４。
【０１６０】
−  第２の状態：該当同期ラスタにＲＭＳＩが無く、８ビットによって定義される基準周波数位置からＲＭＳＩのあるＳＳＢの周波数位置の相対的な値は２５５から５０９。
【０１６１】
−  第３の状態：該当同期ラスタにＲＭＳＩが無く、８ビットによって定義される基準周波数位置からＲＭＳＩのあるＳＳＢの周波数位置の相対的な値は５１０から７６４。
【０１６２】
ＵＥは、状態（ｓｔａｔｅ）に応じて定義される基準点（０、２５５又は５１０）から８ビットで表現される２５５個のＳＳＢ周波数位置の相対値を用いて、ＲＭＳＩのあるＳＳＢの周波数位置を知ることができる。また、ＵＥは、特定の帯域内にＲＭＳＩのあるＳＳＢの周波数位置がないという状態（ｓｔａｔｅ）が指示された場合、他の特定の帯域に移動して、ＲＭＳＩのあるＳＳＢの周波数位置を探すことを試みることができる。このような過程によって、ＵＥが不要に周波数スキャンを繰り返すことを減少させることができる。
【０１６３】
（３）実施例３
【０１６４】
現在、ＵＥが接続した位置を基準周波数位置（ｒｅｆｅｒｅｎｃｅ  ｆｒｅｑｕｅｎｃｙ  ｐｏｓｉｔｉｏｎ）として、基準周波数位置からＲＭＳＩのあるＳＳＢの周波数位置を相対的な値として知らせることができる。８ビットを用いる場合、現在の周波数位置から定義される全２５６個の相対的なＳＳＢの周波数位置に対して指示可能である。このとき、現在の周波数位置（即ち、基準周波数位置）から低い周波数位置方向又は高い周波数位置方向に指示範囲（ｉｎｄｉｃａｔｉｏｎ  ｒａｎｇｅ）を設定することができ（例えば、Ｎ＝−１２７〜＋１２８）、一方向に指示範囲（ｉｎｄｉｃａｔｉｏｎ  ｒａｎｇｅ）を設定することもできる（例えば、Ｎ＝０〜２５５）。一方向に指示範囲（ｉｎｄｉｃａｔｉｏｎ  ｒａｎｇｅ）を設定する場合、全てのＵＥは、初期接続時に同一の周波数スキャン方向を有して、これは標準文書に定義されてもよい。
【０１６５】
一方、効率的なＵＥの動作のためには、現在指示（Ｉｎｄｉｃａｔｉｏｎ）可能な範囲内にＲＭＳＩのあるＳＳＢの周波数位置が１個もない場合を指示する必要がある。本実施例では、このような指示として、ＳＳＢ周波数位置を知らせるための８ビットを用いた２５６個の状態（ｓｔａｔｅ）のうち、１個の状態を用いることができる。この場合、ＳＳＢの周波数位置を知らせるための状態（ｓｔａｔｅ）の数は２５５となる。
【０１６６】
−  第１の状態：該当指示範囲内にＲＭＳＩが無い。
【０１６７】
仮に、ＵＥが指示範囲（ｉｎｄｉｃａｔｉｏｎ  ｒａｎｇｅ）内にＲＭＳＩがないことを知った場合、ＵＥは、指示範囲（ｉｎｄｉｃａｔｉｏｎ  ｒａｎｇｅ）によって指示可能な周波数位置のうち、最後に位置した周波数位置から再び周波数スキャン（Ｆｒｅｑｕｅｎｃｙ  ｓｃａｎ）を開始して、ＲＭＳＩのあるＳＳＢの周波数位置を探すことができる。指示範囲（Ｉｎｄｉｃａｔｉｏｎ  ｒａｎｇｅ）が両方向である場合、両側端のいずれか一方に移動して、両側端のうちいずれに移動するかは追加の状態（ｓｔａｔｅ）を用いて知らせることができる。なお、指示範囲（Ｉｎｄｉｃａｔｉｏｎ  ｒａｎｇｅ）が一方向である場合、直ちに該当方向の終端に移動して、周波数スキャン（ｆｒｅｑｕｅｎｃｙ  ｓｃａｎ）を行うことができる。よって、指示範囲（ｉｎｄｉｃａｔｉｏｎ  ｒａｎｇｅ）が両方向である場合、上述した該当指示範囲内にＲＭＳＩがないことを示す状態（ｓｔａｔｅ）は、以下のように変更されてもよい。
【０１６８】
−  第１の状態：該当指示範囲内にＲＭＳＩが無く、指示範囲のうち最低の周波数位置に移動
【０１６９】
−  第２の状態：該当指示範囲内にＲＭＳＩが無く、指示範囲のうち最高の周波数位置に移動  
【０１７０】
また、ＵＥに上述した指示範囲に対応する周波数範囲よりも大きい周波数範囲内でＲＭＳＩのあるＳＳＢの周波数位置があることを知らせようとする場合、これを指示するための追加シグナリングが必要であり、ＰＢＣＨコンテンツ、即ち、ＰＢＣＨ  ＭＩＢに含まれたＰＲＢグリッドオフセットのためのビットを用いて指示可能な状態のうち余分の状態（ｓｔａｔｅ）を用いて、上述の指示範囲に対応する周波数範囲よりも大きい周波数範囲内でＲＭＳＩのあるＳＳＢの周波数位置を知らせることができる。
【０１７１】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができ、指示範囲（Ｉｎｄｉｃａｔｉｏｎ  ｒａｎｇｅ）が一方向に設定される場合、さらに定義する状態（ｓｔａｔｅ）は、以下のようであり、以下において、Ｋは、上述した指示範囲に対応する周波数範囲よりも大きい周波数範囲に対応する値を示す。
【０１７２】
−  第１の状態：該当同期ラスタにＲＭＳＩが無く、Ｋは０
【０１７３】
−  第２の状態：該当同期ラスタにＲＭＳＩが無く、Ｋは２５５
【０１７４】
−  第３の状態：該当同期ラスタにＲＭＳＩが無く、Ｋは５１０
【０１７５】
即ち、上述した方法を用いる場合、ＵＥの現在位置をＯ、８ビットで指示される指示範囲に対する値をＮ（０〜２５５）とするとき、指示される周波数位置は
【０１７６】
Ｉｎｄｉｃａｔｅｄ  ｐｏｓｉｔｉｏｎ  ＝  Ｏ  ＋  Ｎ  ＋  Ｋ  
【０１７７】
のような形態で表現することができる。
【０１７８】
ところが、指示範囲が両方向に設定される場合、さらに定義する状態（ｓｔａｔｅ）は、以下のように定義することができる。
【０１７９】
−  第１の状態：該当同期ラスタにＲＭＳＩが無く、Ｋは０
【０１８０】
−  第２の状態：該当同期ラスタにＲＭＳＩが無く、Ｋは−１２７又は１２７、ここで、Ｋの符号は、Ｎの符号と同一
【０１８１】
−  第３の状態：該当同期ラスタにＲＭＳＩが無く、Ｋは−２５４又は２５４、ここで、Ｋの符号は、Ｎの符号と同一
【０１８２】
ＵＥの現在位置をＯ、８ビットで指示される値をＮ（−１２７〜１２７）とするとき、指示される周波数位置は
【０１８３】
Ｉｎｄｉｃａｔｅｄ  ｐｏｓｉｔｉｏｎ  ＝  Ｏ  ＋  Ｎ  ＋  Ｋ
【０１８４】
のような形態で表現することができる。
【０１８５】
（４）実施例４
【０１８６】
ＵＥが現在接続した位置を基準周波数位置（ｒｅｆｅｒｅｎｃｅ  ｆｒｅｑｕｅｎｃｙ  ｐｏｓｉｔｉｏｎ）として、基準周波数位置からＲＭＳＩのあるＳＳＢの周波数位置を相対的な値で知らせることができる。８ビットを用いて、現在の周波数位置から定義される全２５６個の相対的なＳＳＢの周波数位置に対して指示可能である。このとき、現在の周波数位置（即ち、基準周波数位置）から低い周波数位置方向又は高い周波数位置方向に指示範囲（ｉｎｄｉｃａｔｉｏｎ  ｒａｎｇｅ）を設定することができ（例えば、Ｎ＝−１２７〜＋１２８）、一方向に指示範囲（ｉｎｄｉｃａｔｉｏｎ  ｒａｎｇｅ）を設定することもできる（例えば、Ｎ＝０〜２５５）。一方向に指示範囲（ｉｎｄｉｃａｔｉｏｎ  ｒａｎｇｅ）を設定する場合、全てのＵＥは、初期接続時に同一の周波数スキャン方向を有して、これは標準文書に定義されてもよい。
【０１８７】
一方、効率的なＵＥの動作のためには、現在に指示（Ｉｎｄｉｃａｔｉｏｎ）可能な範囲内にＲＭＳＩのあるＳＳＢの周波数位置が１個もない場合を指示する必要がある。また、ＵＥに上述した指示範囲に対応する周波数範囲よりも大きい周波数範囲内でＲＭＳＩのあるＳＳＢの周波数位置があることを知らせようとする場合、これを指示するための追加シグナリングが必要であり、ＰＢＣＨコンテンツ、即ち、ＰＢＣＨ  ＭＩＢに含まれたＰＲＢグリッドオフセットのためのビットを用いて指示可能な状態のうち、余分の状態（ｓｔａｔｅ）を用いて、上述の指示範囲に対応する周波数範囲よりも大きい周波数範囲内でＲＭＳＩのあるＳＳＢの周波数位置を知らせることができる。
【０１８８】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができ、指示範囲（Ｉｎｄｉｃａｔｉｏｎ  ｒａｎｇｅ）が一方向に設定される場合、さらに定義する状態（ｓｔａｔｅ）は、以下のようであり、以下において、Ｋは、上述の指示範囲に対応する周波数範囲よりも大きい周波数範囲に対応する値を示す。
【０１８９】
−  第１の状態：該当指示範囲内にＲＭＳＩが無い
【０１９０】
−  第２の状態：該当同期ラスタにＲＭＳＩが無く、Ｋは０
【０１９１】
−  第３の状態：該当同期ラスタにＲＭＳＩが無く、Ｋは２５５
【０１９２】
−  第４の状態：該当同期ラスタにＲＭＳＩが無く、Ｋは５１０
【０１９３】
即ち、上述した方法を用いる場合、ＵＥの現在位置をＯ、８ビットで指示される指示範囲に対する値をＮ（０〜２５５）とするとき、指示される周波数位置は  
【０１９４】
Ｉｎｄｉｃａｔｅｄ  ｐｏｓｉｔｉｏｎ  ＝  Ｏ  ＋  Ｎ  ＋  Ｋ  
【０１９５】
のような形態で表現することができる。
【０１９６】
ここで、ＵＥに第１の状態が伝達された場合、指示範囲（ｉｎｄｉｃａｔｉｏｎ  ｒａｎｇｅ）内においてＲＭＳＩが存在する周波数位置がないことを知って、８ビット指示子によって指示された周波数位置に移動して、再び周波数スキャン（ｆｒｅｑｕｅｎｃｙ  ｓｃａｎ）を行い、ＳＳＢを検出して、ＳＳＢに含まれたＰＢＣＨを介してＲＭＳＩの存否、及び存在しない場合にはＲＭＳＩの存在する周波数位置に関する情報を取得する過程を繰り返して行うことができる。
【０１９７】
また、指示範囲が両方向に設定される場合、さらに定義する状態（ｓｔａｔｅ）は、以下のように定義することができる。
【０１９８】
−  第１の状態：該当指示範囲内にＲＭＳＩが無い
【０１９９】
−  第２の状態：該当同期ラスタにＲＭＳＩが無く、Ｋは０
【０２００】
−  第３の状態：該当同期ラスタにＲＭＳＩが無く、Ｋは−１２７又は１２７、ここで、Ｋの符号は、Ｎの符号と同一
【０２０１】
−  第４の状態：該当同期ラスタにＲＭＳＩが無く、Ｋは−２５４又は２５４、ここで、Ｋの符号は、Ｎの符号と同一
【０２０２】
ＵＥの現在位置をＯ、８ビットで指示される値をＮ（−１２７〜１２７）とするとき、指示される周波数位置は  
【０２０３】
Ｉｎｄｉｃａｔｅｄ  ｐｏｓｉｔｉｏｎ  =  Ｏ  ＋  Ｎ  ＋  Ｋ
【０２０４】
のような形態で表現することができる。
【０２０５】
ここで、ＵＥに第１の状態が伝達された場合、指示範囲（ｉｎｄｉｃａｔｉｏｎ  ｒａｎｇｅ）内においてＲＭＳＩが存在する周波数位置がないことを知って、８ビット指示子によって指示された周波数位置に移動して、再び周波数スキャン（ｆｒｅｑｕｅｎｃｙ  ｓｃａｎ）を行い、第１の状態乃至第４の状態に対する追加シグナリングを介して、ＲＭＳＩが存在する周波数位置に関する情報を取得することができる。
【０２０６】
（５）実施例５
【０２０７】
現在、ＲＡＮ４に定義された同期ラスタは、以下の［表２］のように定義されている。
【０２０８】
【表２】
2022002414.tif 000005
【０２０９】
実施例５では、［表２］に示されたＧＳＣＮ（Ｇｌｏｂａｌ  Ｓｙｎｃｈｒｏｎｉｚａｔｉｏｎ  Ｃｈａｎｎｅｌ  Ｎｕｍｂｅｒ）を基準として、ＲＭＳＩのあるＳＳＢの周波数位置を指示することができる。このとき、ＲＭＳＩのあるＳＳＢの周波数位置を指示するために、８ビットの指示子を用いると仮定するとき、全体のＧＳＣＮを２５６個（８ビット）単位に分けて、２５６個の範囲内においてＲＭＳＩのあるＳＳＢの周波数位置を指示することができる。
【０２１０】
例えば、２５６の単位を１個のクラスタ（ｃｌｕｓｔｅｒ）とするとき、ＵＥはＵＥが接続するＧＳＣＮナンバーを知っているため、ＧＳＣＮナンバーを２５６で除した余りをクラスタ内において自身の基準位置として決定することができる。また、決定された基準位置において指示された位置だけクラスタ（ｃｌｕｓｔｅｒ）内で移動して、ＲＭＳＩのあるＳＳＢの周波数位置を探すことができる。
【０２１１】
一方、効率的なＵＥの動作のためには、現在、クラスタ内においてＲＭＳＩのあるＳＳＢの周波数位置が１個もない場合を指示する必要がある。そのために、ＰＢＣＨコンテンツ、即ち、ＰＢＣＨ  ＭＩＢに含まれたＰＲＢグリッドオフセットのためのビットを用いて指示可能な状態のうち、余分の状態（ｓｔａｔｅ）を用いて、上述した指示範囲に対応する周波数範囲よりも大きい周波数範囲内においてＲＭＳＩのあるＳＳＢの周波数位置を知らせることができる。
【０２１２】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができ、さらに定義する状態（ｓｔａｔｅ）は、以下のようである。
【０２１３】
−  第１の状態：該当同期ラスタ内にＲＭＳＩ無し。該当クラスタ内において指示された周波数位置に移動
【０２１４】
−  第２の状態：該当クラスタ内にＲＭＳＩ無し。より高い周波数を有する次のクラスタに移動
【０２１５】
−  第３の状態：該当クラスタ内にＲＭＳＩ無し。より低い周波数を有する前のクラスタに移動
【０２１６】
仮に、ＵＥに第１の状態が指示されて、現在のクラスタ内にＲＭＳＩのあるＳＳＢの周波数位置が存在する場合、指示された位置へ移動してＳＳＢを探せばよい。仮に、第２の状態又は第３の状態のように、現在のクラスタ（ｃｌｕｓｔｅｒ）内にＲＭＳＩのある周波数位置がないことを知った場合、ＵＥはより高い周波数にある他のクラスタ又はより低い周波数にある他のクラスタへ移動して、再び周波数スキャンを行う。このような指示は、ＵＥが不要な周波数スキャンを行うことを減少させることができる。
【０２１７】
また、クラスタ内において特定の周波数位置を指示したとき、該当周波数位置にＲＭＳＩのあるＳＳＢがない場合、現在、指示可能なＲＭＳＩのあるＳＳＢの周波数位置がないと判断して、指示された周波数位置から再び周波数スキャンを行うことができる。このような方法も同様に、ＵＥが不要な周波数スキャンを行うことを防止することができ、この方法の場合、第２の状態及第３の状態を用いないため、該当状態（ｓｔａｔｅ）を指示範囲（ｉｎｄｉｃａｔｉｏｎ  ｒａｎｇｅ）の拡張に用いることもできる。
【０２１８】
（６）実施例６
【０２１９】
実施例６では、［表２］に示されたＧＳＣＮ（Ｇｌｏｂａｌ  Ｓｙｎｃｈｒｏｎｉｚａｔｉｏｎ  Ｃｈａｎｎｅｌ  Ｎｕｍｂｅｒ）を基準としてＲＭＳＩのあるＳＳＢの周波数位置を指示することができる。このとき、ＲＭＳＩのあるＳＳＢの周波数位置を指示するために、８ビットの指示子を用いると仮定する場合、全体のＧＳＣＮを２５６個（８ビット）単位に分けて、２５６個の範囲内においてＲＭＳＩのあるＳＳＢの周波数位置を指示することができる。
【０２２０】
例えば、２５６個の単位を１個のクラスタ（ｃｌｕｓｔｅｒ）とするとき、ＵＥはＵＥが接続するＧＳＣＮナンバーを知っているため、ＧＳＣＮナンバーを２５６で除した余りをクラスタ内において自身の基準位置として決定することができる。また、決定された基準位置で指示された位置だけクラスタ（ｃｌｕｓｔｅｒ）内で移動して、ＲＭＳＩのあるＳＳＢの周波数位置を探すことができる。
【０２２１】
ところが、８ビットの指示子を用いる場合には、１個のクラスタ（ｃｌｕｓｔｅｒ）範囲内でのみＳＳＢの周波数位置を指示することができる。よって、１個のクラスタ（ｃｌｕｓｔｅｒ）よりも大きい範囲においてＲＭＳＩのあるＳＳＢの周波数位置を知らせるためには、これを指示するための追加シグナリングが必要であり、ＰＢＣＨコンテンツ、即ち、ＰＢＣＨ  ＭＩＢに含まれたＰＲＢグリッドオフセットのためのビットを用いて指示可能な状態のうち、余分の状態（ｓｔａｔｅ）を用いて、前記クラスタに対応する周波数範囲よりも大きい周波数範囲内においてＲＭＳＩのあるＳＳＢの周波数位置を知らせることができる。
【０２２２】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができ、さらに定義する状態（ｓｔａｔｅ）は、以下のようである。
【０２２３】
−  第１の状態：該当同期ラスタ内にＲＭＳＩ無し。「Ｎ」の指示範囲は０〜２５５.
【０２２４】
−  第２の状態：該当同期ラスタ内にＲＭＳＩ無し。「Ｎ」の指示範囲は２５６〜５１１。
【０２２５】
−  第３の状態：該当同期ラスタ内にＲＭＳＩ無し。「Ｎ」の指示範囲は−２５６〜−１。
【０２２６】
−  第４の状態：該当同期ラスタ内にＲＭＳＩ無し。「Ｎ」の指示範囲は−５１２〜−２５７。
【０２２７】
仮に、指示された指示範囲内にＲＭＳＩのあるＳＳＢの周波数位置がある場合、指示された位置に移動してＳＳＢを探せばよい。仮に、指示範囲内の周波数位置を指示したにもかかわらず、指示された周波数位置にＲＭＳＩのあるＳＳＢがない場合、現在の指示範囲内にはＲＭＳＩのあるＳＳＢの周波数位置がないと判断して、指示された周波数位置から再び周波数スキャンを行い、ＲＭＳＩのあるＳＳＢの周波数位置を探す。この方法も同様に、ＵＥが不要な周波数スキャンを行うことを防止することができる。
【０２２８】
さらに、状態（ｓｔａｔｅ）に「該当指示範囲内にＲＭＳＩが無い」を追加して、ＵＥが最低の周波数又は最高の周波数に直ちに移動して、周波数スキャンを行うようにすることもできる。該当状態（ｓｔａｔｅ）は、ＰＲＢグリッドオフセットを介して表現されてもよく、追加の８ビットの指示子を介して表現されてもよい。このとき、上述の状態が８ビットの指示子を介して表現される場合、クラスタのサイズは２５６より小さくなる。例えば、以下のように、上述した状態が２つのタイプとして存在する場合、クラスタのサイズは２５４になる。
【０２２９】
−  第１の状態：該当指示範囲内にＲＭＳＩが無い。該当指示範囲内において最高の周波数位置に移動
【０２３０】
−  第２の状態：該当指示範囲内にＲＭＳＩが無い。該当指示範囲内において最低の周波数位置に移動
【０２３１】
（７）実施例７
【０２３２】
実施例７では、［表２］に示されたＧＳＣＮ（Ｇｌｏｂａｌ  Ｓｙｎｃｈｒｏｎｉｚａｔｉｏｎ  Ｃｈａｎｎｅｌ  Ｎｕｍｂｅｒ）を基準としてＲＭＳＩのあるＳＳＢの周波数位置を指示することができる。このとき、ＲＭＳＩのあるＳＳＢの周波数位置を指示するために、８ビットの指示子を用いると仮定する場合、全体のＧＳＣＮを２５６個（８ビット）単位に分けて、２５６個の範囲内においてＲＭＳＩのあるＳＳＢの周波数位置を指示することができる。
【０２３３】
例えば、２５６個の単位を１個のクラスタ（ｃｌｕｓｔｅｒ）とするとき、ＵＥはＵＥが接続するＧＳＣＮナンバーを知っているため、ＧＳＣＮナンバーを２５６で除した余りをクラスタ内において自身の基準位置として決定することができる。また、決定された基準位置から指示された位置だけクラスタ（ｃｌｕｓｔｅｒ）内で移動して、ＲＭＳＩのあるＳＳＢの周波数位置を探すことができる。
【０２３４】
ところが、８ビットの指示子を用いる場合には、１個のクラスタ（ｃｌｕｓｔｅｒ）範囲内でのみＳＳＢの周波数位置を指示することができる。よって、１個のクラスタ（ｃｌｕｓｔｅｒ）よりも大きい範囲においてＲＭＳＩのあるＳＳＢの周波数位置を知らせるためには、これを指示するための追加シグナリングが必要であり、ＰＢＣＨコンテンツ、即ち、ＰＢＣＨ  ＭＩＢに含まれたＰＲＢグリッドオフセットのためのビットを用いて指示可能な状態のうち、余分の状態（ｓｔａｔｅ）を用いて、前記クラスタに対応する周波数範囲よりも大きい周波数範囲内においてＲＭＳＩのあるＳＳＢの周波数位置を知らせることができる。
【０２３５】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができる。
【０２３６】
【表３】
2022002414.tif 000006
【０２３７】
また、［表３］のｎ４１、ｎ７及びｎ３８帯域のような周波数帯域を共有しながら、同期ラスタ（Ｓｙｎｃ  ｒａｓｔｅｒ）のサイズが１．４４ＭＨｚ（ｎ４１）、９００ｋＨｚ（ｎ７,  ｎ３８）と異なるため、［表２］のように同一の周波数帯域において異なるＧＳＣＮナンバーを有することになる。よって、ＲＭＳＩのあるＳＳＢの周波数位置を指示しても、ＵＥとしては、指示された帯域が正確にどの帯域を示すのかに対する曖昧性が生じる。これは、ＵＥの位置としてＵＥが仮定した帯域と、実際にＳＳＢを検出した帯域とが異なり得るためである。よって、このような曖昧性を無くすためには、同期ラスタのサイズが９００ｋＨｚであるか、１．４４ＭＨｚであるかを知らせる必要がある。
【０２３８】
一方、上述した曖昧性に関する問題は、ＦＲ１帯域で生じ得るため、ＦＲ１帯域においてさらに定義可能な余分の８個の状態（ｓｔａｔｅ）を活用することができる。
【０２３９】
即ち、ＲＭＳＩのあるＳＳＢの周波数位置を示すために、ＦＲ１においてさらに定義する最大８個の状態（ｓｔａｔｅ）は、以下の［表４］のように定義することができ、ＦＲ２においてさらに定義する最大４個の状態（ｓｔａｔｅ）は、［表５］のように定義することができる。
【０２４０】
【表４】
2022002414.tif 000007
【０２４１】
【表５】
2022002414.tif 000008
【０２４２】
仮に、指示範囲（ｉｎｄｉｃａｔｉｏｎ  ｒａｎｇｅ）内にＲＭＳＩのあるＳＳＢの周波数位置がある場合、指示された位置に移動してＳＳＢを探せばよい。仮に、指示範囲内の周波数位置を指示したにもかかわらず、指示された周波数位置にＲＭＳＩのあるＳＳＢがない場合には、現在の指示範囲内にはＲＭＳＩのあるＳＳＢの周波数位置がないと判断して、指示された周波数位置から再び周波数スキャンを行い、ＲＭＳＩのあるＳＳＢの周波数位置を探す。この方法によって、ＵＥが不要な周波数スキャンを行うことを防止することができる。
【０２４３】
さらに、ＰＲＢグリッドオフセットを指示するためのパラメータ（ＲＭＳＩ＿ＰＤＣＣＨ＿ｃｏｎｆｉｇ）の８ビットを用いて、以下のように「該当指示範囲内にＲＭＳＩが無い」を追加することで、ＲＭＳＩのない範囲をＵＥに指示することができる。
【０２４４】
−  ＰＲＢグリッドオフセットの第１５の状態（ｓｔａｔｅ）：該当指示範囲内にＲＭＳＩが無い。指示範囲は、ＲＭＳＩ＿ＰＤＣＣＨ＿ｃｏｎｆｉｇの８ビットによって指示される
【０２４５】
（８）実施例８
【０２４６】
ＵＥが現在接続した位置を基準周波数位置（ｒｅｆｅｒｅｎｃｅ  ｆｒｅｑｕｅｎｃｙ  ｐｏｓｉｔｉｏｎ）として、基準周波数位置からＲＭＳＩのあるＳＳＢの周波数位置を相対的な値で知らせることができる。８ビットを用いると、現在の周波数位置から定義される全２５６個の相対的なＳＳＢの周波数位置に対して指示可能である。このとき、現在の周波数位置（即ち、基準周波数位置）から低い周波数位置方向又は高い周波数位置方向に指示範囲（ｉｎｄｉｃａｔｉｏｎ  ｒａｎｇｅ）を設定することができ（例えば、Ｎ=−１２７〜＋１２８）、一方向に指示範囲（ｉｎｄｉｃａｔｉｏｎ  ｒａｎｇｅ）を設定することもできる（例えば、Ｎ＝０〜２５５）。仮に、一方向に指示範囲（ｉｎｄｉｃａｔｉｏｎ  ｒａｎｇｅ）を設定する場合、全てのＵＥは、初期接続時に同一の周波数スキャン方向を有して、これは標準文書に定義されてもよい。
【０２４７】
また、８ビットの指示子を用いて指示可能な周波数範囲よりも大きい範囲内において、ＲＭＳＩのあるＳＳＢの周波数位置を知らせるためには、これを指示するための追加シグナリングが必要であり、ＰＢＣＨコンテンツ、即ち、ＰＢＣＨ  ＭＩＢに含まれたＰＲＢグリッドオフセットのためのビットを用いて指示可能な状態のうち、余分の状態（ｓｔａｔｅ）を用いて、前記クラスタに対応する周波数範囲よりも大きい周波数範囲内においてＲＭＳＩのあるＳＳＢの周波数位置を知らせることができる。
【０２４８】
例えば、ＦＲ１帯域では、５ビットを用いて２４個のＰＲＢグリッドオフセットを指示するため、最大８個の状態（ｓｔａｔｅ）をさらに定義することができ、ＦＲ２帯域では、４ビットを用いて１２個のＰＲＢグリッドオフセットを指示するため、最大４個の状態（ｓｔａｔｅ）をさらに定義することができる。
【０２４９】
また、［表３］のｎ４１、ｎ７及びｎ３８帯域のような周波数帯域を共有しながら、同期ラスタ（Ｓｙｎｃ  ｒａｓｔｅｒ）のサイズが１．４４ＭＨｚ（ｎ４１）、９００ｋＨｚ（ｎ７,  ｎ３８）と異なるため、［表２］のような同一の周波数帯域において異なるＧＳＣＮナンバーを有することになる。よって、ＲＭＳＩのあるＳＳＢの周波数位置を指示しても、ＵＥとしては指示された帯域が正確にどの帯域を示すのかに対する曖昧性が生じる。これは、ＵＥの位置としてＵＥが仮定した帯域と、実際にＳＳＢを検出した帯域とが異なり得るためである。よって、このような曖昧性を無くすためには、同期ラスタのサイズが９００ｋＨｚであるか、１．４４ＭＨｚであるかを知らせる必要がある。
【０２５０】
一方、上述した曖昧性に関する問題は、ＦＲ１帯域で生じ得るため、ＦＲ１帯域においてさらに定義可能な余分の８個の状態（ｓｔａｔｅ）を活用することができる。
【０２５１】
よって、実施例８においても実施例７のように、ＲＭＳＩのあるＳＳＢの周波数位置を示すために、ＦＲ１においてさらに定義する最大８個の状態（ｓｔａｔｅ）は、以下の［表４］のように定義することができ、ＦＲ２においてさらに定義する最大４個の状態（ｓｔａｔｅ）は、［表５］のように定義することができる。
【０２５２】
仮に、指示範囲（ｉｎｄｉｃａｔｉｏｎ  ｒａｎｇｅ）内にＲＭＳＩのあるＳＳＢの周波数位置がある場合、指示された位置に移動してＳＳＢを探せばよい。仮に、指示範囲内の周波数位置を指示したにもかかわらず、指示された周波数位置にＲＭＳＩのあるＳＳＢがない場合、現在の指示範囲内にはＲＭＳＩのあるＳＳＢの周波数位置がないと判断して、指示された周波数位置から再び周波数スキャンを行い、ＲＭＳＩのあるＳＳＢの周波数位置を探す。この方法によって、ＵＥが不要な周波数スキャンを行うことを防止することができる。
【０２５３】
さらに、ＰＲＢグリッドオフセットを指示するためのパラメータ（ＲＭＳＩ＿ＰＤＣＣＨ＿ｃｏｎｆｉｇ）の８ビットを用いて、以下のように、「該当指示範囲内にＲＭＳＩが無い」を追加することで、ＲＭＳＩのない範囲をＵＥに指示することができる。
【０２５４】
−  ＰＲＢグリッドオフセットの第１５の状態（ｓｔａｔｅ）：該当指示範囲内にＲＭＳＩが無い。指示範囲は、ＲＭＳＩ＿ＰＤＣＣＨ＿ｃｏｎｆｉｇの８ビットによって指示される。
【０２５５】
上述した実施例１乃至８において、指示され得る状態（ｓｔａｔｅ）のうち、特定状態（ｓｔａｔｅ）である、「該当帯域内にＲＭＳＩが無い」及び「該当クラスタ内にＲＭＳＩが無い」は、特定の事業者が一帯域又は一クラスタをいずれも運用している場合に使用可能な状態（ｓｔａｔｅ）である。事業者がＮＲ帯域の一部のみを運用する場合、該帯域内の全てのＳＳＢの周波数位置に関する情報を知ることができないため、「該当帯域内にＲＭＳＩが無い」という状態（ｓｔａｔｅ）をＵＥに指示することができない。
【０２５６】
よって、特定の帯域に様々な事業者が特定の帯域を分けて、各々の事業者が特定の帯域の一部のみを割り当てられて運用する場合、特定の事業者が運用する一部の帯域にＲＭＳＩがないとき、特定の事業者が運用する帯域においてＳＳＢの周波数位置外の他の位置をスキャンすることをＵＥに指示することもできる。
【０２５７】
即ち、ＵＥに指示されるＳＳＢの周波数位置に必ずＲＭＳＩがあるとは限られない。事業者が自身が運用する帯域部分内にＲＭＳＩがない場合、同一のＮＲ帯域内の他の事業者が運用する帯域部分にあるＳＳＢの周波数位置を指示して、該当周波数位置から周波数スキャンによってＲＭＳＩのあるＳＳＢの周波数位置を探すようにすることができる。
【０２５８】
＜３．最小帯域幅１０ＭＨｚのＲＭＳＩ  ＣＯＲＥＳＥＴ設定＞
【０２５９】
ＮＲシステムにおいて、副搬送波間隔が１５ｋＨｚであるＳＳＢのための１０ＭＨｚの最小チャネル帯域幅に対する新たな設定（ｃｏｎｆｉｇｕｒａｔｉｏｎ）表を定義する必要がある。特に、［表２］のｎ４１帯域の場合、１５ｋＨｚの副搬送波間隔を有するＳＳＢが用いられる１０ＭＨｚの最小チャネル帯域幅を用いるため、ｎ４１帯域を支援するＲＭＳＩ  ＣＯＲＥＳＥＴのための設定（Ｃｏｎｆｉｇｕｒａｔｉｏｎ）を考慮する必要がある。
【０２６０】
１０ＭＨｚ、４０ＭＨｚのような広い最小チャネル帯域幅に対するＳＳＢの数を減らすために、全ての候補ＳＳＢの対象を狭める必要がある（ｄｏｗｎ  ｓｅｌｅｃｔｉｏｎ）。ｎ４１帯域の１５ｋＨｚの副搬送波間隔の場合、ｄｏｗｎ  ｓｅｌｅｃｔｉｏｎ値が「３」であるため、同期ラスタ値が４．３２ＭＨｚと大きくなる。よって、１５ｋＨｚの副搬送波間隔に対して大きい値の同期ラスタを支援するためには、ＮＲは１０ＭＨｚの最小チャネル帯域幅のあるＳＳＢの１５ｋＨｚの副搬送波間隔に対する新たな設定表を考慮する必要がある。また、ＣＯＲＥＳＥＴ設定表を作成するとき、ネットワーク帯域幅の状態に応じて、ネットワーク動作の柔軟性も考慮する必要がある。よって、１５ｋＨｚの副搬送波間隔及び１０ＭＨｚの最小チャネル帯域幅のためのＲＭＳＩ  ＣＯＲＥＳＥＴ設定は、１０ＭＨｚ  ＢＷ〜２０ＭＨｚ  ＢＷを支援するように設計される必要がある。
【０２６１】
一方、ＭＩＢ内においてＲＭＳＩ  ＣＯＲＥＳＥＴを設定するための４ビットが指定されているが、この４ビットのみでは、ＳＳＢを基準としてＲＭＳＩ  ＣＯＲＥＳＥＴの位置を示すＲＢオフセットの全ての候補を示すには十分ではない。このような問題点を解決するために、ＲＭＳＩ  ＣＯＲＥＳＥＴ帯域幅に応じて、２つの設定表を定義して、ＲＡＮ４において１つの表を選択する方法を考えることができる。しかし、この方法の場合、チャネル帯域幅及びＲＭＳＩ  ＣＯＲＳＥＴの帯域幅を制限するという問題点がある。よって、この方法は、ネットワークリソースの活用には適しないことがある。
【０２６２】
よって、２つの設定表間の動的な選択のための指示ビットをＭＩＢに追加することを提案する。このために、ＰＢＣＨコンテンツ、即ち、ＭＩＢ内に位置するＳＳＢインデックス指示のために予約されたビットのうち１ビットを活用することができる。即ち、既に定義された４ビットに新たなＭＩＢの１ビットを足して、全５ビットとして、ＣＯＲＥＳＥＴ設定のための新たな設定表を設計することができる。即ち、ＣＯＲＥＳＥＴ設定のために、既に定義された４ビットの他に追加の１ビットが必要であり、このような追加の１ビットは、ＳＳＢインデックス指示のために予約されたビットのうち、１ビットを活用することができる。
【０２６３】
図１０を参照すると、通信装置１０００は、プロセッサ１０１０、メモリ１０２０、ＲＦモジュール１０３０、ディスプレイモジュール１０４０、及びユーザインターフェースモジュール１０５０を備えている。
【０２６４】
通信装置１０００は説明の便宜のために示されたもので、一部のモジュールは省略されてもよい。また、通信装置１０００は必要なモジュールをさらに備えてもよい。また、通信装置１０００において一部のモジュールはより細分化したモジュールに区分されてもよい。プロセッサ１０１０は、図面を参照して例示した本発明の実施例に係る動作を実行するように構成される。具体的に、プロセッサ１０１０の詳細な動作は、図１乃至図９に記載された内容を参照すればよい。
【０２６５】
メモリ１０２０は、プロセッサ１０１０に接続し、オペレーティングシステム、アプリケーション、プログラムコード、データなどを格納する。ＲＦモジュール１０３０は、プロセッサ１０１０に接続し、基底帯域信号を無線信号に変換したり、無線信号を基底帯域信号に変換する機能を果たす。そのために、ＲＦモジュール１０３０は、アナログ変換、増幅、フィルタリング及び周波数アップ変換又はこれらの逆過程を行う。ディスプレイモジュール１０４０は、プロセッサ１０１０に接続し、様々な情報をディスプレイする。ディスプレイモジュール１０４０は、特に制限されるものではなく、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１１５０は、プロセッサ１０１０に接続し、キーパッド、タッチスクリーンなどのような周知のユーザインターフェースの組み合わせで構成可能である。
【０２６６】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０２６７】
本文書で基地局によって行われるとした特定動作は、場合によってはその上位ノード（ｕｐｐｅｒ  ｎｏｄｅ）によって行われることもある。即ち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０２６８】
本発明に係る実施例は、様々な手段、例えば、ハードウェア、ファームウェア（ｆｉｒｍｗａｒｅ）、ソフトウェア又はそれらの結合などによって具現化することができる。ハードウェアによる具現化では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現化することができる。
【０２６９】
ファームウェアやソフトウェアによる具現化では、本発明の一実施例は、以上で説明された機能又は動作を実行するモジュール、手順、関数などの形態で具現化されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０２７０】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０２７１】
上述のようなシステム情報を受信する方法、及びそのための装置は、第５世代ＮｅｗＲＡＴシステムに適用される例を中心として説明したが、第５世代ＮｅｗＲＡＴシステムの他にも様々な無線通信システムに適用することができる。
【図１】
2022002414.tif 000009
【図２】
2022002414.tif 000010
【図３】
2022002414.tif 000011
【図４】
2022002414.tif 000012
【図５】
2022002414.tif 000013
【図６】
2022002414.tif 000014
【図７】
2022002414.tif 000015
【図８】
2022002414.tif 000016
【図９】
2022002414.tif 000017
【図１０】
2022002414.tif 000018
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
無線通信において、ＵＥ（user equipment）が信号を受信する方法であって、
第１のシステム情報を運ぶＰＢＣＨ（Physical Broadcasting Channel）を含む第１のＳＳＢ（Synchronization Signal Block）を検出することと、
第２のシステム情報が前記第１のＳＳＢに関して提示されるかどうかを確認することであって、前記第２のシステム情報は、前記第１のシステム情報と関連付けられたＲＭＳＩ（remaining minimum system information）である、ことと、
前記ＲＭＳＩが前記第１のＳＳＢに関して提示されない場合に、前記ＰＢＣＨの前記第１のシステム情報に含まれるＲＭＳＩスケジューリング情報から特定の周波数範囲に関する情報を取得することと、を含み、
前記ＵＥは、前記特定の周波数領域内にＲＭＳＩに関連付けられたＳＳＢがないことを決定する、方法。
【請求項２】
前記第１のＳＳＢは、第１の同期ラスタのための第１の周波数位置で検出される、請求項１に記載の方法。
【請求項３】
前記特定の周波数範囲は、前記第１の同期ラスタを含む、請求項２に記載の方法。
【請求項４】
いかなるＲＭＳＩとも関連付けられていない第２のＳＳＢは、前記第１の同期ラスタに含まれていない第２の周波数位置で受信される、請求項２に記載の方法。
【請求項５】
無線通信のための装置であって、
少なくとも一つのプロセッサと、
前記少なくとも一つのプロセッサと動作可能に接続可能であり、命令を格納する少なくとも一つのコンピュータメモリと、を含み、
前記命令は、前記少なくとも一つのプロセッサによって実行されるとき、
第１のシステム情報を運ぶＰＢＣＨ（Physical Broadcasting Channel）を含む第１のＳＳＢ（Synchronization Signal Block）を検出することと、
第２のシステム情報が前記第１のＳＳＢに関して提示されるかどうかを確認することであって、前記第２のシステム情報は、前記第１のシステム情報と関連付けられたＲＭＳＩ（remaining minimum system information）である、ことと、
前記ＲＭＳＩが前記第１のＳＳＢに関して提示されない場合に、前記ＰＢＣＨの前記第１のシステム情報に含まれるＲＭＳＩスケジューリング情報から特定の周波数範囲に関する情報を取得することと、を含む動作を行い、
ＵＥ（user equipment）は、前記特定の周波数領域内にＲＭＳＩに関連付けられたＳＳＢがないことを決定する、装置。
【請求項６】
前記第１のＳＳＢは、第１の同期ラスタのための第１の周波数位置で検出される、請求項５に記載の装置。
【請求項７】
前記特定の周波数範囲は、前記第１の同期ラスタを含む、請求項６に記載の装置。
【請求項８】
いかなるＲＭＳＩとも関連付けられていない第２のＳＳＢは、前記第１の同期ラスタに含まれていない第２の周波数位置で受信される、請求項６に記載の装置。
【請求項９】
前記少なくとも一つのプロセッサの制御の元で、無線信号を送信又は受信するように構成されるトランシーバをさらに含む、請求項５に記載の装置。
【請求項１０】
前記装置は、無線通信システムにおけるＵＥである、請求項５に記載の装置。
【請求項１１】
前記装置は、無線通信システムにおいてＵＥを制御するように構成されるＡＳＩＣ（application specific integrated circuit）又はデジタル信号処理装置である、請求項５に記載の装置。
【請求項１２】
請求項１〜４のいずれか一項に記載の方法を行うためのプログラムコードを格納するプロセッサ可読媒体。